(57)【要約】【課題】ＡＭＰＳおよびＮ，Ｎ−ジメチルアクリルアミドのコポリマーの新規な逆相ラテックスおよびその化粧品のための用途を提供すること。【解決手段】油相、水相、少なくとも１種の油中水（Ｗ／Ｏ）タイプの乳化系、任意に水中油（Ｏ／Ｗ）型の少なくとも一種の乳化系を含み、２０〜７０質量％、好ましくは２５〜５０質量％の分枝または架橋高分子電解質を含む逆相ラテックスの形態にある組成物であって、前記高分子電解質が、部分的または全体的に塩とされた２−アクリルアミド−２−メチルプロパンスルホン酸と、Ｎ，Ｎ−ジメチルアクリルアミドと、並びに任意に、部分的または全体的に塩とされた弱酸官能基を含むモノマーおよび中性モノマーから選択された１以上のモノマーとのコポリマーであることを特徴とする組成物。化粧料用途。【選択図】      なし【特許請求の範囲】
【請求項１】
油相、水相、少なくとも１種の油中水（Ｗ／Ｏ）タイプの乳化系、任意に水中油（Ｏ／Ｗ）型の少なくとも一種の乳化系を含み、２０〜７０質量％、好ましくは２５〜５０質量％の分枝または架橋高分子電解質を含む逆相ラテックスの形態にある組成物であって、前記高分子電解質が、部分的または全体的に塩とされた２−アクリルアミド−２−メチルプロパンスルホン酸と、Ｎ，Ｎ−ジメチルアクリルアミドと、並びに任意に、部分的または全体的に塩とされた弱酸官能基を含むモノマーからおよび／またはＮ，Ｎ−ジメチルアクリルアミド以外の中性モノマーから選択された１以上のモノマーとのコポリマーであることを特徴とする組成物。
【請求項２】
前記高分子電解質が、９５モル％〜２５モル％の部分的または全体的に塩とされた２−メチル−２−［（１−オキソ−２−プロペニル）アミノ］−１−プロパンスルホン酸モノマーと５モル％〜７５モル％のＮ，Ｎ−ジメチルアクリルアミドモノマーを含む請求項１に記載の組成物。
【請求項３】
前記高分子電解質が、９０モル％〜４０モル％の部分的または全体的に塩とされた２−メチル−２−［（１−オキソ−２−プロペニル）アミノ］−１−プロパンスルホン酸モノマーおよび１０モル％〜６０モル％のＮ，Ｎ−ジメチルアクリルアミドモノマーを含む請求項２に記載の組成物。
【請求項４】
前記組成物中に存在する高分子電解質が部分的または全体的に塩とされた２−アクリルアミド−２−メチルプロパンスルホン酸、Ｎ，Ｎ−ジメチルアクリルアミド、並びに弱酸官能基を含むモノマーからおよび／またはＮ，Ｎ−ジメチルアクリルアミド以外の中性モノマーから選択される１以上のモノマーのコポリマーであるとき、弱酸官能基を含むモノマーからおよびＮ，Ｎ−ジメチルアクリルアミド以外の中性モノマーから選択されるモノマーのすべてのモル割合が０％を超え、３０％以下である請求項１〜３のいずれか１項に記載の組成物。
【請求項５】
存在する高分子電解質において、Ｎ，Ｎ−ジメチルアクリルアミドと、弱酸官能基を含むモノマーからおよびＮ，Ｎ−ジメチルアクリルアミド以外の中性モノマーから選択されるすべてのモノマーとの間のモル比が１以上である請求項４に記載の組成物。
【請求項６】
水中油（Ｏ／Ｗ）型の乳化系を含むことを特徴とする請求項１〜５のいずれか１項に記載の組成物。
【請求項７】
前記高分子電解質が、
−  ナトリウム塩の形態に部分的に塩とされた２−メチル−２−［（１−オキソ−２−プロペニル）アミノ］−１−プロパンスルホン酸とＮ，Ｎ−ジメチルアクリルアミドの架橋されたコポリマー、
−  アンモニウム塩の形態に部分的に塩とされた２−メチル−２−［（１−オキソ−２−プロペニル）アミノ］−１−プロパンスルホン酸とＮ，Ｎ−ジメチルアクリルアミドの架橋されたコポリマー、
−  カリウム塩の形態に部分的に塩とされた２−メチル−２−［（１−オキソ−２−プロペニル）アミノ］−１−プロパンスルホン酸とＮ，Ｎ−ジメチルアクリルアミドの架橋されたコポリマー、
−  ナトリウム塩、カリウム塩またはアンモニウム塩の形態に部分的に塩とされた２−メチル−２−［（１−オキソ−２−プロペニル）アミノ］−１−プロパンスルホン酸、ナトリウム塩、カリウム塩またはアンモニウム塩の形態に部分的に塩とされたアクリル酸およびＮ，Ｎ−ジメチルアクリルアミドの架橋されたターポリマー、
−  ナトリウム塩、カリウム塩またはアンモニウム塩の形態に部分的に塩とされた２−メチル−２−［（１−オキソ−２−プロペニル）アミノ］−１−プロパンスルホン酸、ナトリウム塩、カリウム塩またはアンモニウム塩の形態に部分的に塩とされたアクリル酸、Ｎ，Ｎ−ジメチルアクリルアミドおよびアクリルアミドの架橋されたテトラポリマー、
−  ナトリウム塩、カリウム塩またはアンモニウム塩の形態に部分的に塩とされた２−メチル−２−［（１−オキソ−２−プロペニル）アミノ］−１−プロパンスルホン酸、Ｎ，Ｎ−ジメチルアクリルアミドおよびアクリルアミドの架橋されたターポリマー、
−  ナトリウム塩、カリウム塩またはアンモニウム塩の形態に部分的に塩とされた２−メチル−２−［（１−オキソ−２−プロペニル）アミノ］−１−プロパンスルホン酸、Ｎ，Ｎ−ジメチルアクリルアミドおよびＮ−イソプロピルアクリルアミドの架橋されたターポリマー、
−  ナトリウム塩、カリウム塩またはアンモニウム塩の形態に部分的に塩とされた２−メチル−２−［（１−オキソ−２−プロペニル）アミノ］−１−プロパンスルホン酸、Ｎ，Ｎ−ジメチルアクリルアミドおよびＮ−［２−ヒドロキシ−１，１−ビス（ヒドロキシメチル）エチル］プロペンアミドの架橋されたターポリマー、
−  ナトリウム塩、カリウム塩またはアンモニウム塩の形態に部分的に塩とされた２−メチル−２−［（１−オキソ−２−プロペニル）アミノ］−１−プロパンスルホン酸、ナトリウム塩、カリウム塩またはアンモニウム塩の形態に部分的に塩とされたアクリル酸、Ｎ，Ｎ−ジメチルアクリルアミドおよび（２−ヒドロキシエチル）アクリレートの架橋されたテトラポリマー、
−  ナトリウム塩、カリウム塩またはアンモニウム塩の形態に部分的に塩とされた２−メチル−２−［（１−オキソ−２−プロペニル）アミノ］−１−プロパンスルホン酸、Ｎ，Ｎ−ジメチルアクリルアミドおよび（２−ヒドロキシエチル）アクリレートの架橋されたターポリマー
から選択されることを特徴とする請求項１〜６のいずれか１項に記載の組成物。
【請求項８】
増粘用化合物および／または乳化用化合物として請求項１〜７のいずれか１項に記載の少なくとも１種の逆相ラテックスを含むことを特徴とする化粧料組成物、皮膚薬学的組成物用または薬学的組成物。
【請求項９】
少なくとも１種の日焼け止めおよび請求項１〜７のいずれか１項に記載の逆相ラテックスを含むことを特徴とする日焼け止め剤。
【請求項１０】
有効量のジヒドロキシアセトンおよび請求項１〜７のいずれか１項に記載の逆相ラテックスを含むことを特徴とするセルフタンニング組成物。
【請求項１１】
ジヒドロキシアセトンと、乳酸またはグルコン酸、ジヒドロキシアセトンと少なくとも１種の日焼け止め剤、ジヒドロキシアセトンと少なくとも１種の保湿剤、ジヒドロキシアセトンとカフェインのいずれかを含む請求項８または９記載の化粧料組成物、皮膚薬学的組成物用または薬学的組成物。
【発明の詳細な説明】
【技術分野】
【０００１】
本特許出願は、油中水型逆相ラテックス、それを製造するための方法、スキンケアおよびヘアケア製品のための、または化粧料、皮膚化粧料、皮膚薬学的製剤または薬学的製剤の製造のための増粘剤および／または乳化剤としてのその使用に関する。
【背景技術】
【０００２】
化粧品または製薬産業において用いられる増粘剤は、水相、ローションまたはクリームゲルを増粘することが意図される。クリームゲルの場合には、特に組成物に高濃度のオイルを含ませることが所望されるとき、乳化剤もまた加えられる。しかしながら、乳化剤はしばしば低分子量を有する製品であり、それらは潜在的にはポリマーより皮膚にとってはより耐えがたいものである。さらに、ポリマーの使用は、加熱なしでクリームゲルの調製を可能とし、これは製造コストを減少させる一方、同時に熱に感受性のある分子を無傷で維持する。
【０００３】
したがって、増粘剤でありかつ乳化剤であるポリマーを開発することが研究されてきた。逆相ラテックスの形態にある合成増粘性ポリマーは、現在、頻繁に用いられ、例えば、特許文献１、特許文献２、特許文献３、特許文献４および特許文献５の下で公開されたフランス特許出願において、およびまた特許文献６の下で公開された欧州特許出願において記載されているものである。
【０００４】
特許文献７は、２−アクリルアミド−２−メチルプロパンスルホン酸または塩、ジアルキルアクリルアミドおよび架橋性モノマーの共重合で得られたコポリマーを用いて製剤された化粧料を開示する。しかしながら、このコポリマーは、逆相ラテックスではない。
【０００５】
特許文献８の下で公開された米国特許出願は、遊離または部分的もしくは全体的に中和された形態の２−アクリルアミド−２−メチル−プロパンスルホン酸およびタイプ（Ｃ８〜Ｃ１６アルキル）アクリルアミドの少なくとも１つの疎水性部分を含む両親媒性ポリマーを含む化粧料組成物を開示する。
【０００６】
特許文献９の下で公開された欧州特許出願は、２５℃で２０，０００Ｃｐｓ未満のブルックフィールド粘度、３０℃で１規定（１Ｎ）ＮａＣｌ中０．０００５ｇ／ｃｍ3 （０．０５ｇｍ／ｄｌ）濃度で約３×１０3 ｃｍ3 ／ｇ〜約１０4 ｃｍ3 ／ｇ（３０〜約１０ｄｌ／ｇ）のポリマー還元粘度を有するＮ，Ｎ−ジメチルアクリルアミドおよび２−アクリルアミド−２−メチルプロパンスルホン酸またはその酸塩のコポリマーまたはコポリマー塩を含む逆相エマルジョンポリマー組成物を開示する。この低いポリマー還元粘度は、イソプロパノールまたは２−メルカプトエタノールのような、製造プロセス中の連鎖移動剤の存在により発生する。それはまた、架橋剤の不存在またはほんの少量の架橋剤の存在により誘起される。しかしながら、そのような低い還元粘度は、ポリマーの低いモル質量の特性であり、これが有効な増粘力を有することを妨げる。
【特許文献１】フランス特許公開２７２１５１１
【特許文献２】フランス特許公開２７３３８０５
【特許文献３】フランス特許公開２７７４６８８
【特許文献４】フランス特許公開２７７４９９６
【特許文献５】フランス特許公開２７８２０８６
【特許文献６】欧州特許公開ＥＰ０５０３８５３
【特許文献７】日本特許第３６８１１５４号
【特許文献８】米国特許公開ＵＳ２００４／００６２７２８Ａ１
【特許文献９】欧州特許公開ＥＰ１５９３０５
【発明の開示】
【発明が解決しようとする課題】
【０００７】
新規な乳化および増粘化合物を開発するための研究の文脈において、出願人は新規な２−アクリルアミド−２−メチルプロパンスルホン酸ポリマーに関心を持った。
【課題を解決するための手段】
【０００８】
すなわち、本発明の１つの主題は、油相、水相、少なくとも１種の油中水（Ｗ／Ｏ）型の乳化系、任意に水中油（Ｏ／Ｗ）型の少なくとも１種の乳化系を含み、２０質量％〜７０質量％、好ましくは２５質量％〜５０質量％の分枝または架橋した高分子電解質を含む逆相ラテックスの形態にある組成物であって、前記高分子電解質が、部分的または全体的に塩とされた２−アクリルアミド−２−メチルプロパンスルホン酸と、Ｎ，Ｎ−ジメチルアクリルアミドと、任意に、部分的または全体的に塩とされた弱酸官能基を含むモノマーからおよび／またはＮ，Ｎ−ジメチルアクリルアミド以外の中性モノマーから選択された１種類以上のモノマーとのコポリマーであることを特徴とする組成物である。
【発明を実施するための最良の形態】
【０００９】
上記定義の組成物において、前記高分子電解質は、３０℃で１規定（１Ｎ）のＮａＣｌ中０．０００５ｇ／ｃｍ3 （０．０５ｇｍ／ｄｌ）濃度で、１０4 ｃｍ3 ／ｇ（１０ｄｌ／ｇ）を超える、特に、１．５×１０4 ｃｍ3 ／ｇ（１５ｄｌ／ｇ）を超えるポリマー還元粘度を有する。
【００１０】
上記定義の組成物において、２−メチル−２−［（１−オキソ−２−プロペニル）アミノ］−１−プロパンスルホン酸は、好ましくは、例えば、ナトリウム塩またはカリウム塩のようなアルカリ金属塩、アンモニウム塩、例えばモノエタノールアミン塩のようなアミノアルコール塩、または例えばリシン塩のようなアミノ酸塩の形態で部分的または全体的に塩とされる。
【００１１】
モノマーが含む弱酸官能基は、特に、部分的に塩とされたカルボン酸官能基である。前記モノマーは、例えば、部分的または全体的に塩とされたアクリル酸、メタクリル酸、イタコン酸、マレイン酸または３−メチル−３−［（１−オキソ−２−プロペニル）アミノ］ブタン酸であり得る。それらは、好ましくは、例えばナトリウム塩またはカリウム塩のようなアルカリ金属塩、アンモニウム塩、例えばモノエタノールアミン塩のようなアミノアルコール塩、または例えばリシン塩のようなアミノ酸塩の形態で部分的または全体的に塩とされる。
【００１２】
Ｎ，Ｎ−ジメチルアクリルアミド以外の中性モノマーは、特に、アクリルアミド、メタクリルアミド、ジアセトンアクリルアミド、Ｎ−イソプロピルアクリルアミド、Ｎ−［２−ヒドロキシ−１，１−ビス［（ヒドロキシメチル）エチル］］プロペンアミド［またはＴＨＡＭとしても知られるトリス（ヒドロキシメチル）アクリルアミドメタンもしくはＮ−トリス（ヒドロキシメチル）メチルアクリルアミド］、（２−ヒドロキシエチル）アクリレート、（２，３−ジヒドロキシプロピル）アクリレート、（２−ヒドロキシエチル）メタクリレート、（２，３−ジヒドロキシプロピル）メタクリレート、それらエステルのそれぞれの４００〜１０００の分子量を有するエトキシル化誘導体、またはビニルピロリドンから選択される。
【００１３】
上記定義の組成物に存在する高分子電解質は、９５モル％〜２５モル％の部分的または全体的に塩とされた２−メチル−２−［（１−オキソ−２−プロペニル）アミノ］−１−プロパンスルホン酸モノマーおよび５モル％〜７５モル％のＮ，Ｎ−ジメチルアクリルアミドモノマーを含む。
【００１４】
本発明の１つの特定の側面によれば、組成物中に存在する高分子電解質は、９０モル％〜４０モル％の部分的または全体的に塩とされた２−メチル−２−［（１−オキソ−２−プロペニル）アミノ］−１−プロパンスルホン酸モノマーおよび１０モル％〜６０モル％のＮ，Ｎ−ジメチルアクリルアミドモノマーを含む。
【００１５】
上記定義の組成物中に存在する高分子電解質が、部分的にまたは全体的に塩とされた２−アクリルアミド−２−メチルプロパンスルホン酸と、Ｎ，Ｎ−ジメチルアクリルアミドと、および弱酸官能基を含むモノマーから選ばれる１以上のモノマーおよび／またはＮ，Ｎ−ジメチルアクリルアミド以外の中性モノマーとのコポリマーであるとき、弱酸官能基を含むモノマーから選ばれるモノマーおよびＮ，Ｎ−ジメチルアクリルアミド以外の中性モノマーのすべてのモル割合は、０％を超え、３０％以下である。
【００１６】
第１の場合において、Ｎ，Ｎ−ジメチルアクリルアミドと弱酸官能基を含むモノマーおよびＮ，Ｎ−ジメチルアクリルアミド以外の中性モノマーから選ばれるすべてのモノマーとの間のモル比は、好ましくは、１以上である。
【００１７】
「分枝したポリマー」と言う用語は、このポリマーが水に溶けるとき低い剪断できわめて高い粘度をもたらす広範囲の交絡が得られるように側鎖を含む非線状ポリマーを表す。
【００１８】
「架橋されたポリマー」と言う用語は、化学的なゲルの生成をもたらす水に不溶性であるが水膨潤性の３次元網状構造の形態の非線状ポリマーを表す。
【００１９】
本発明による組成物は、架橋されたユニットおよび／または分枝したユニットを含み得る。
【００２０】
本発明の主題である組成物中に存在するポリマーが架橋されているとき、ポリマーは、より具体的には、用いられるモノマーに対して表現される０．００５％〜１％、特に０．０１０％〜０．２０％およびさらに特に０．０１５％〜０．１５％のモル割合のジエチレンまたはポリエチレン化合物により架橋される。好ましくは、架橋剤および／または分枝剤は、エチレングリコールジメタクリレート、ジエチレングリコールジアクリレート、ジアリルオキシ酢酸ナトリウム、エチレングリコールジアクリレート、ジアリルウレア、トリアリルアミン、トリメチロールプロパントリアクリレートおよびメチレンビス（アクリルアミド）から選択される。
【００２１】
上記定義の組成物において、油中水（Ｗ／Ｏ）型の乳化系は、単独の界面活性剤または界面活性剤の混合物であって該混合物のＨＬＢ値が油中水型エマルジョンを生じさせるのに十分に低い条件での混合物のいずれかからなる。油中水型の乳化剤として、例えば、名称モンテーン（登録商標）８０の下でＳＥＰＰＩＣ社により販売される製品のようなソルビタンオレエート、名称モンテーン（登録商標）７０の下でＳＥＰＰＩＣ社により販売される製品のようなソルビタンイソステアレート、または名称モンテーン（登録商標）８３の下でＳＥＰＰＩＣ社により販売される製品のようなソルビタンセスキオレエートのようなソルビタンエステルが存在する。例えば、名称モンタノックス（登録商標）８１の下でＳＥＰＰＩＣ社により販売される製品のようなペンタエトキシル化ソルビタンモノオレエートまたは例えばＳＥＰＰＩＣ社により名称モンタノックス（登録商標）７１の下で販売される製品のようなペンタエトキシル化ソルビタンイソステアレートのようなある種のポリエトキシル化ソルビタンエステルもまた存在する。例えばＳＥＰＰＩＣ社により名称サイマルゾル（登録商標）ＯＣ７２の下で販売される製品のようなジエトキシル化オレオセチルアルコール、名称ブレンマー（登録商標）ＡＬＥ２００の下で販売される製品のようなテトラエトキシル化ラウリルアクリレート、またはユニケマ社により販売されるハイパーマー（登録商標）２２９６のようなポリ（イソブテニル）コハク酸またはその無水物とポリエチレングリコールとの縮合から製造される１０００〜３０００の分子量を有するポリエステルまたは最後に、例えばユニケマ社により販売されるハイパーマー（登録商標）Ｂ２４６またはＳＥＰＰＩＣ社により販売されるサイマライン（登録商標）ＩＥ２００のような２５００〜３５００の分子量を有するブロックコポリマーもまた存在する。
【００２２】
本発明の主題である組成物は、一般的に、２質量％〜８質量％の油中水（Ｗ／Ｏ）型の乳化系を含む。
【００２３】
上記組成物が水中油（Ｏ／Ｗ）型の乳化系を含むとき、それは、単独の界面活性剤または界面活性剤の混合物であって該混合物のＨＬＢ値が水中油型エマルジョンを生じさせるのに十分に高い条件での混合物のいずれかからなる。水中油型の乳化剤として、例えば、名称モンタノックス（登録商標）８０の下でＳＥＰＰＩＣ社により販売される２０モルのエチレンオキサイドによりポリエトキシル化されたソルビタンオレエート、名称モンタノックス（登録商標）２０の下でＳＥＰＰＩＣ社により販売される２０モルのエチレンオキサイドによりポリエトキシル化されたソルビタンラウレートのようなエトキシル化ソルビタンエステル、名称サイマルゾル（登録商標）ＯＬ５０の下で販売される４０ｍｌのエチレンオキシドによりポリエトキシル化されたひまし油、名称サイマルゾル（登録商標）ＯＣ７１０の下でＳＥＰＰＩＣ社により販売されるデカエトキシル化オレオデシルアルコール、名称サイマルゾル（登録商標）Ｐ７の下で販売されるヘプタエトキシル化ラウリルアルコールまたは名称モンタノックス（登録商標）６０の下でＳＥＰＰＩＣ社により販売される２０モルのエチレンオキサイドによりポリエトキシル化されたソルビタンモノステアレートが存在する。
【００２４】
本発明の主題である組成物が水中油（Ｏ／Ｗ）型の乳化系を含むとき、それは、一般的に、３質量％〜８質量％のこの系を含む。
【００２５】
本発明の１つの特定の側面によれば、上記の組成物は（Ｏ／Ｗ）乳化系を含む。
【００２６】
本発明の主題である組成物において、油相は、エクソンケミカルにより販売されるマルコール（登録商標）５２、イソパール（登録商標）Ｍまたはイソパール（登録商標）Ｌのような室温で０．７〜０．９の密度および約２５０℃を超える沸点を有するパラフィン、イソパラフィンまたはシクロパラフィンのような飽和炭化水素、主成分が２，２，４，４，６，８，８−ヘプタメチルノナン（ＲＮ＝４３９０−０４−９）である少なくとも９７％のＣ16イソパラフィンを含むＣ12、Ｃ16、Ｃ20イソパラフィンの混合物である番号ＲＮ＝９３６５８−８０−４としてケミカル・アブストラクトにおいて同定されるイソヘキサデカン（それはバイエル社によりフランスで販売され、またはイソドデカンはバイエル社によりフランスでもまた販売される）を含む市販の鉱油、または名称パーリーム−ポリシンレーン（登録商標）の下でエツ・Ｂ．ロソウ・エ・シエ社によりフランスで販売される水素化ポリデセンまたは水素化ポリイソブテンのような合成油（マイケル・アンド・イレーン・アッシュ、化学製品のシソーラス、ケミカル・パブリッシングＣｏ．Ｉｎｃ．１９８６第１巻、２１１ページ（ＩＳＢＮ０７１３１３６０３０）に引用される）、または名称ファイトスクアレン（登録商標）の下でソフィム社によりフランスで販売され、番号ＲＮ＝１１１−０１−３によりケミカル・アブストラクトに同定されている植物起源のスクアレンのような植物油（それは、８０重量％を超える２，６，１０，１５，１９，２３−ヘキサメチルテトラコサンを含む炭化水素の混合物またはいくつかのそれらの油の混合物である。）を含む。
【００２７】
油相は、また、脂肪酸エステルを含み得る。
【００２８】
本発明の文脈において、「脂肪酸エステル」と言う用語は、式（Ｉ）： 
Ｒ1−（Ｃ＝Ｏ）−Ｏ−［［ＣＨ2−ＣＨ［Ｏ−［Ｃ（＝Ｏ）］m−Ｒ2］−ＣＨ2−Ｏ］n−［Ｃ（＝Ｏ）］p］q−Ｒ3        （Ｉ）
（式中、
Ｒ1は、７個〜３０個の炭素原子を含む飽和または不飽和の、直鎖または分枝鎖炭化水素系鎖を表し、
Ｒ2は、Ｒ1とは独立に、水素原子、または７個〜３０個の炭素原子を含む飽和または不飽和の、直鎖または分枝鎖炭化水素系鎖を表し、
Ｒ3は、Ｒ1またはＲ2とは独立に、水素原子、または１個〜３０個の炭素原子を含む飽和または不飽和の、直鎖または分枝鎖炭化水素系鎖を表し、
ｍ、ｎ、ｐおよびｑは、互いに独立に、０または１に等しく、Ｒ3が水素原子を表すとき、ｑが０以外であることが理解される）で示される化合物を意味する。
【００２９】
上に定義した式（Ｉ）において、Ｒ1、Ｒ2およびＲ3は、特に、互いに独立に、ヘプチル、オクチル、ノニル、デシル、ウンデシル、ドデシル、トリデシル、テトラデシル、ペンタデシル、ヘキサデシル、ヘプタデシル、オクタデシル、ノナデシル、エイコシル、ウンエイコシル、ドコシル、ヘプタデセニル、エイコセニル、ウンエイコセニル、ドコセニル、ヘプタデカジエニル、およびデセニル基から選ばれる基を表す。基Ｒ1−Ｃ（＝Ｏ）−は、より具体的には、以下の基、すなわちオクタノイル（カプリリル）、デカノイル、ウンデシレノイル、ドデカノイル（ラウロイル）、テトラデカノイル（ミリスチル）、ヘキサデカノイル（パルミトイル）、オクタデカノイル（ステアリル）、エイコサノイル（アラキドイル）、ドコサノイル（ベヘノイル）、８−オクタデセノイル（オレイル）、エイコセノイル（ガドロイル）、１３−ドコセノイル（エルシル）、９，１２−オクタデカジエノイル（リノレオイル）、９，１２，１５−オクタデカトリエノイル（リノレノイル）の１つを表す。
【００３０】
油相は、より特には、ｑとｎが１に等しいところの上記式（Ｉ）に対応する式（Ｉａ）：
Ｒ1−（Ｃ＝Ｏ）−Ｏ−ＣＨ2−ＣＨ［Ｏ−［Ｃ（＝Ｏ）］m−Ｒ2］−ＣＨ2−Ｏ−［Ｃ（＝Ｏ）］p−Ｒ3      （Ｉａ）
の化合物、または式（Ｉａ）の化合物の混合物を含み得る。この場合、好ましくは、それは、ｍおよびｐが０に等しく、Ｒ2およびＲ3が水素原子を表すところの上記式（Ｉａ）に対応する式（Ｉａ1 ）：
Ｒ1−（Ｃ＝Ｏ）−Ｏ−ＣＨ2−ＣＨ（ＯＨ）−ＣＨ2−ＯＨ    （Ｉａ1）
の化合物、
またはｐが１に等しく、ｍが０に等しく、Ｒ2が水素原子を表すところの上記式（Ｉａ）に対応する式（Ｉａ2 ）：
Ｒ1−（Ｃ＝Ｏ）−Ｏ−ＣＨ2−ＣＨ（ＯＨ）−ＣＨ2−Ｏ−Ｃ（＝Ｏ）−Ｒ3    （Ｉａ2）
の化合物、
またはｍおよびｐが１に等しいところの上記式（Ｉａ）に対応する式（Ｉａ3）：
Ｒ1 −（Ｃ＝Ｏ）−Ｏ−ＣＨ2 −ＣＨ［Ｏ−Ｃ（＝Ｏ）−Ｒ2 ］−ＣＨ2 −Ｏ−Ｃ（＝Ｏ）−Ｒ3    （Ｉａ3 ）
の化合物、
または式（Ｉａ1）の化合物、（Ｉａ2）の化合物および／または（Ｉａ3）の化合物の混合物のいずれかである。
【００３１】
式（Ｉａ1）、（Ｉａ2）または（Ｉａ3）の化合物の例として、例えば、名称ソフテノール（登録商標）３８１９の下で販売される６個〜１０個の炭素原子を含む脂肪酸トリグリセリドの混合物のような脂肪酸トリグリセリドまたは脂肪酸混合物、名称ソフテノール（登録商標）３１０８の下で販売される８個〜１０個の炭素原子を含む脂肪酸トリグリセリドの混合物、名称ソフテノール（登録商標）３１７８の下で販売された８個〜１８個の炭素原子を含む脂肪酸トリグリセリドの混合物、名称ソフテノール（登録商標）３１００の下で販売される１２個〜１８個の炭素原子を含む脂肪酸トリグリセリドの混合物、名称ソフテノール（登録商標）３１０７の下で販売される７個の炭素原子を含む脂肪酸トリグリセリドの混合物、名称ソフテノール（登録商標）３１１４の下で販売される１４個の炭素原子を含む脂肪酸トリグリセリドの混合物、または名称ソフテノール（登録商標）３１１８の下で販売される１８個の炭素原子を含む脂肪酸トリグリセリドの混合物、グリセリルジラウレート、グリセリルジオレエート、グリセリルイソステアレート、グリセリルジステアレート、グリセリルモノラウレート、グリセリルモノオレエート、グリセリルモノイソステアレート、またはグリセリルモノステアレートまたはそれらの化合物の混合物が存在する。
【００３２】
油相は、特に、ｑが０に等しいところの上記式（Ｉ）に対応する式（Ｉｂ）：
Ｒ1 −（Ｃ＝Ｏ）−Ｏ−Ｒ3   （Ｉｂ）
の化合物または式（Ｉｂ）の化合物の混合物を含み得る。
【００３３】
式（Ｉｂ）の化合物の例は、例えば、オクチルパルミテートである。
【００３４】
上記定義の逆相ラテックスは、一般的に、４重量％〜１０重量％の乳化剤を含む。
【００３５】
その油相は、組成物の全重量の１５％〜４０％、好ましくは２０％〜２５％に相当する。
【００３６】
水相は、組成物の全重量の２％〜４０％に相当する。
【００３７】
本発明の別の特定の側面によれば、その主題は、コポリマーが、
−  ナトリウム塩の形態に部分的に塩とされた２−メチル−２−［（１−オキソ−２−プロペニル）アミノ］−１−プロパンスルホン酸およびＮ，Ｎ−ジメチルアクリルアミドの架橋されたコポリマー、
−  アンモニウム塩の形態に部分的に塩とされた２−メチル−２−［（１−オキソ−２−プロペニル）アミノ］−１−プロパンスルホン酸とＮ，Ｎ−ジメチルアクリルアミドの架橋されたコポリマー、
−  カリウム塩の形態に部分的に塩とされた２−メチル−２−［（１−オキソ−２−プロペニル）アミノ］−１−プロパンスルホン酸とＮ，Ｎ−ジメチルアクリルアミドの架橋されたコポリマー、
−  ナトリウム塩、カリウム塩またはアンモニウム塩の形態に部分的に塩とされた２−メチル−２−［（１−オキソ−２−プロペニル）アミノ］−１−プロパンスルホン酸、ナトリウム塩、カリウム塩またはアンモニウム塩の形態に部分的に塩とされたアクリル酸およびＮ，Ｎ−ジメチルアクリルアミドの架橋されたターポリマー、
−  ナトリウム塩、カリウム塩またはアンモニウム塩の形態に部分的に塩とされた２−メチル−２−［（１−オキソ−２−プロペニル）アミノ］−１−プロパンスルホン酸、ナトリウム塩、カリウム塩またはアンモニウム塩の形態に部分的に塩とされたアクリル酸、Ｎ，Ｎ−ジメチルアクリルアミドおよびアクリルアミドの架橋されたテトラポリマー、
−  ナトリウム塩、カリウム塩またはアンモニウム塩の形態に部分的に塩とされた２−メチル−２−［（１−オキソ−２−プロペニル）アミノ］−１−プロパンスルホン酸、Ｎ，Ｎ−ジメチルアクリルアミドおよびアクリルアミドの架橋されたターポリマー、
−  ナトリウム塩、カリウム塩またはアンモニウム塩の形態に部分的に塩とされた２−メチル−２−［（１−オキソ−２−プロペニル）アミノ］−１−プロパンスルホン酸、Ｎ，Ｎ−ジメチルアクリルアミドおよびＮ−イソプロピルアクリルアミドの架橋されたターポリマー、
−  ナトリウム塩、カリウム塩またはアンモニウム塩の形態に部分的に塩とされた２−メチル−２−［（１−オキソ−２−プロペニル）アミノ］−１−プロパンスルホン酸、Ｎ，Ｎ−ジメチルアクリルアミドおよびＮ−［２−ヒドロキシ−１，１−ビス（ヒドロキシメチル）エチル］プロペンアミドの架橋されたターポリマー、
−  ナトリウム塩、カリウム塩またはアンモニウム塩の形態に部分的に塩とされた２−メチル−２−［（１−オキソ−２−プロペニル）アミノ］−１−プロパンスルホン酸、ナトリウム塩、カリウム塩またはアンモニウム塩の形態に部分的に塩とされたアクリル酸、Ｎ，Ｎ−ジメチルアクリルアミドおよび（２−ヒドロキシエチル）アクリレートの架橋されたテトラポリマー、
−  ナトリウム塩、カリウム塩またはアンモニウム塩の形態に部分的に塩とされた２−メチル−２−［（１−オキソ−２−プロペニル）アミノ］−１−プロパンスルホン酸、Ｎ，Ｎ−ジメチルアクリルアミドおよび（２−ヒドロキシエチル）アクリレートの架橋されたターポリマー
から選択されるところの上記組成物である。
【００３８】
本発明の別の特定の側面によれば、上記組成物は、少なくとも５０重量％で７０重量％未満の高分子電解質を含む。この場合、組成物は、好ましくは、以下のプロセス：
ａ）モノマーおよび可能な親水性添加物を含む水相を、油中水（Ｗ／Ｏ）型の界面活性剤系、最終組成物中に存在することが意図されるオイルおよび揮発性油からなる混合物および可能な疎水性添加物を含む有機相中に乳化させ、
ｂ）重合反応を、ａ）で形成されるエマルジョンにフリーラジカル開始剤を導入することにより開始し、次いで反応を進行させ、
ｃ）工程ｂ）由来の反応媒体を、前記揮発性油が完全に除去されるまで蒸留により濃縮する
ことを実施することにより調製される。
【００３９】
上記の方法を実施するのに適切である揮発性油は、例えば、名称アイソパー（登録商標）Ｇ、アイソパー（登録商標）Ｌ、アイソパー（登録商標）Ｈまたはアイソパー（登録商標）Ｊの下で販売されるもののような８〜１１個の炭素原子を含む軽質イソパラフィンである。
【００４０】
上記方法の１つの好ましい態様によれば、重合反応は、１０℃以下の温度でクメンヒドロペルオキシド／メタ重亜硫酸ナトリウム対のような酸化還元対により開始され、ついで、４０℃以上の、特に５０℃以上の温度まで準断熱的にか、または温度の変化を制御することによるかのいずれかで実施される。
【００４１】
工程ｃ）が完了したとき、所望ならば、５０℃未満の温度で水中油型の乳化系が導入される。
【００４２】
上記定義の組成物が５０重量％未満の高分子電解質を含むとき、これは、好ましくは、以下のプロセス：
ａ）モノマーおよび可能な添加物を含む水相を、１以上の油中水型乳化剤の存在下で、油相中に乳化させ、
ｂ）重合反応を、ａ）で形成されるエマルジョンにフリーラジカル開始剤を導入することにより開始し、次いで反応を進行させ、
ｃ）重合反応が完了したとき、所望ならば、１以上の水中油型乳化剤を５０℃未満の温度で導入する
ことを実施することにより調製される。
【００４３】
このプロセスの１つの変形によれば、工程ｂ）から得られる反応媒体は、工程ｃ）を実施する前に蒸留により濃縮される。
【００４４】
上記プロセスの１つの好ましい態様によれば、重合反応は、１０℃以下の温度でクメンヒドロキシペルオキシド／メタ重亜硫酸ナトリウム対のような酸化還元対により開始され、それから、４０℃以上の、特に５０℃以上の温度まで準断熱的にかまたは温度の変化を制御することによるかのいずれかで実施される。
【００４５】
プロセスの別の好ましい態様によれば、出発の水溶液は、工程ａ）を実施する前に４以下のｐＨに調節される。
【００４６】
本発明の別の特定の側面によれば、上記定義の組成物は３０重量％以下の高分子電解質を含む。
【００４７】
本発明の主題は、また、増粘性化合物および／または乳化化合物として上記少なくとも１種の逆相ラテックスを含むことを特徴とする化粧料組成物、皮膚薬学的組成物または薬学的組成物である。
【００４８】
上記定義の化粧料組成物、皮膚薬学的組成物または薬学的組成物は、一般的に、０．１〜１０重量％、特に０．５〜５重量％の前記逆相ラテックスを含む。組成物は、特に、乳液、ローション、ゲル、クリームゲル、クリーム、石鹸、入浴用発泡剤、バーム、シャンプーまたはコンディショナーの形態にある。
【００４９】
本発明の１つの好ましい側面によれば、上記定義の化粧料組成物、皮膚薬学的組成物または薬学的組成物は局所用組成物である。
【００５０】
本発明の主題は、また、局所的化粧料組成物、皮膚薬学的組成物または薬学的組成物を提供するための上記定義の逆相ラテックスの使用である。
【００５１】
ヒトまたは動物の皮膚もしくは粘膜への適用が意図される本発明による局所用組成物は、少なくとも１の水相および少なくとも１の油相を含む局所用エマルジョンからなり得る。この局所用エマルジョンは、水中油型のものであり得る。より特に、この局所用エマルジョンは、乳液または流動ゲルのような流体エマルジョンからなり得る。局所用エマルジョンの油相は、１種以上のオイルの混合物からなり得る。
【００５２】
本発明による局所用組成物は、化粧料としての使用が意図され得るか、または皮膚および粘膜の疾患を治療するための医薬を調製するために用いることができる。後者の場合には、局所用組成物は、例えば、抗炎症剤、筋肉弛緩剤、抗菌剤または抗細菌剤からなり得る活性成分を含む。
【００５３】
本発明による組成物は、また、脂肪（油脂、バター、ワックス、脂肪酸およびガム）、乳化剤および共乳化剤、ゲル化剤および／または安定化剤および／または皮膜形成剤、フィラー、顔料、日焼け止め剤、保湿剤、溶剤および共溶剤、可塑化剤、金属イオン封鎖剤、抗酸化剤、香料、保存料または活性成分のような化粧料および皮膚薬学的分野において通常用いられ、当業者に既知の成分も含み得る。本発明の組成物と組み合わせられ得る油脂の例として、パラフィン、イソパラフィン、白色鉱油、植物油、動物油、合成油、シリコーンオイル、およびフルオロオイル、特に：
−  スイートアーモンド油、ココナッツ油、ひまし油、ジョジョバ油、オリーブ油、菜種油、グラウンドナッツ油、ひまわり油、麦芽油、とうもろこし胚芽油、大豆油、綿実油、アルファルファ油、けし種油、かぼちゃ油、イーブニングプリムローズ油、ミレット油、大麦油、ライ麦油、サフラワー油、キャンドルナッツ油、トケイソウ油、ヘーゼルナッツ油、やし油、シアバター、アプリコットカーネル油、ビューティーリーフ油、シシンブリウム油、アボカド油、カレンデュラ油、花卉油または豆類油のような植物起源の油；エトキシル化植物油；スクアレンおよびスクアランのような動物起源のオイル；液体パラフィン、液体石油ゼリーおよびイソパラフィンのような鉱油、合成油、特に、ブチルミリステート、プロピルミリステート、セチルミリステート、イソプロピルパルミテート、ブチルステアレート、ヘキサデシルステアレート、イソプロピルステアレート、オクチルステアレート、イソセチルステアレート、ドデシルオレエート、ヘキシルラウレート、プロピレングリコールジカプリレートのような脂肪酸エステル、イソプロピルラノレートまたはイソセチルラノレートのようなラノリン酸由来のエステル、例えば、グリセリルトリヘプタノエートのような脂肪酸モノグリセリド、脂肪酸ジグリセリドおよびトリグリセリド、アルキルベンゾエート、ポリ−α−オレフィン、例えばポリイソブテンのようなポリオレフィン、例えばイソヘキサデカン、イソドデカンのような合成イソアルカン、ペルフルオロ油およびシリコーン油
を挙げることができる。シリコーン油の中では、より特に、ジメチルポリシロキサン、メチルフェニルポリシロキサン、アミン変性シリコーン、脂肪酸変性シリコーン、アルコール変性シリコーン、アルコールおよび脂肪酸変性シリコーン、ポリエーテル基変性シリコーン、エポキシ変性シリコーン、フルオロ基変性シリコーン、環状シリコーン、およびアルキル基変性シリコーンを挙げることができる。
【００５４】
本発明の組成物と組み合わせられ得る別の脂肪物質として、脂肪アルコールまたは脂肪酸を挙げることができる。
【００５５】
本発明による組成物の油脂相は、また、ビーズワックス、カルナウバワックス、キャンデリラワックス、ウーリキュリワックス、漆ろう、コルク繊維ワックスまたはさとうきびワックス、パラフィンろう、リグナイトワックス、微結晶性ワックス、ラノリンワックス、オゾケライト、ポリエチレンワックス、水素化油脂、シリコーンワックス、植物ワックス、室温で固体である脂肪アルコールおよび脂肪酸、室温で固体であるグリセリドのようなワックスも含み得る。
【００５６】
本発明による逆相ラテックスは、任意に、他の増粘性および／または乳化性ポリマーと組み合わせられ得る。挙げることのできる例には、アクリル酸またはアクリル酸誘導体のホモポリマーまたはコポリマー、アクリルアミドのホモポリマーまたはコポリマー、アクリルアミド誘導体のホモポリマーまたはコポリマー、アクリルアミドメチルプロパンスルホン酸、ビニルモノマー、名称カーボポール（登録商標）、ウルトレッツ（登録商標）１０、ペムレン（登録商標）ＴＲ１、ペムレン（登録商標）ＴＲ２、サイマルゲル（登録商標）Ａ、サイマルゲル（登録商標）ＮＳ、サイマルゲル（登録商標）ＥＰＧ、サイマルゲル（登録商標）ＥＧ、ルビゲル（登録商標）ＥＭ、サルケア（登録商標）ＳＣ９１、サルケア（登録商標）ＳＣ９２、サルケア（登録商標）ＳＣ９５、サルケア（登録商標）ＳＣ９６、フロケア（登録商標）ＥＴ１００、ヒスパゲル（登録商標）、セピゲル（登録商標）３０５、セピゲル（登録商標）５０１、セピゲル（登録商標）５０２、セピプラス、フロケア（登録商標）ＥＴ５８およびスタビリーズ（登録商標）０６の下で販売されるトリメチルアミノエチルアクリレートクロリドのホモポリマーまたはコポリマー、例えば、キサンタンガム、カラヤガム、カラギーネートまたはアルギネートのような植物または生合成起源のヒドロコロイド、シリケート、セルロースおよびその誘導体、デンプンおよびその親水性誘導体、ポリウレタンが含まれる。
【００５７】
本発明による組成物は、また、本出願人による名称セピゲル（登録商標）３０５、セピゲル（登録商標）５０１、サイマルゲル（登録商標）ＥＧ、サイマルゲル（登録商標）ＮＳ、またはサイマルゲル（登録商標）６００の下で販売されるものに対する有益な代替物でもある。というのは、それはまた、乳液、ローション、クリーム、クリームゲル、石鹸、発泡入浴剤、バーム、シャンプーまたはヘアコンディショナーのような組成物の製造のために用いられる他の成分と良好な相容性も示すからである。
【００５８】
それは、特に、国際特許公開ＷＯ９２／０６７７８、ＷＯ９５／０４５９２、ＷＯ９５／１３８６３、ＷＯ９６／３７２８５、ＷＯ９８／２２２０７、およびＷＯ９８／４７６１０またはＦＲ２７３４４９６に記載され、特許請求されている濃縮物と、ＷＯ９３／０８２０４において記載される界面活性剤と相容性である。
【００５９】
本発明による逆相ラテックスの存在下で用いられ得る乳化剤の中では、挙げることのできる例には、脂肪酸、エトキシル化脂肪酸、ソルビトールの脂肪酸エステル、エトキシル化脂肪酸エステル、ポリソルベート、ポリグリセロールエステル、エトキシル化脂肪アルコール、シュークロースエステル、アルキルポリグリコシド、センサノフおよびフルイダノフのフランス特許出願２６６８０８０、２７３４４９６、２７５６１９５、２７６２３１７、２７８４６８０、２７８４９０４、２７９１５６５、２７９０９７７、２８０７４３５および２８０４４３２に記載されている硫酸化またはリン酸化脂肪アルコールまたはアルキルポリグリコシドおよび脂肪アルコールの混合物が含まれる。
【００６０】
上記化粧料組成物、皮膚化粧料組成物、皮膚薬学的組成物または薬学的組成物は、また、織物剤（texture agent）および／またはフィラー、例えば、アクリルおよびメタクリル酸コポリマー、デンプン、シリカ、カルシウム、マグネシウム、ケイ酸アルミニウムまたはケイ酸バリウム、リン酸カルシウム、天然繊維例えば綿繊維、セルロース繊維またはキトサン繊維または合成繊維例えばポリアミド（ナイロン）繊維、レーヨン繊維、ビスコース繊維、酢酸セルロース繊維、ポリ−Ｐ−フェニレンテレフタミド繊維（ケブラー（登録商標））、ポリエチレンまたはポリプロピレン繊維、ガラス繊維、炭素繊維、テフロン（登録商標）繊維、ポリエステル繊維、ポリ塩化ビニル繊維、ポリビニルアルコール繊維、ポリアクリロニトリル繊維、ポリウレタン繊維またはポリエチレンフタレート繊維、タルク、マイカ、セリサイト、シリカ、窒化ホウ素、ラウロイルリシン、シリコーン樹脂粉末、炭酸カルシウム、炭酸マグネシウム、酸化チタン、酸化亜鉛または酸化セリウム、チタン雲母、酸化鉄および他の鉱物または有機顔料、またはそれらの粉末の混合物を含み得る。
【００６１】
本発明による逆相ラテックスと組み合わせられ得る活性成分の例として、明白化作用または脱色作用、保湿作用、張り（tensioning）作用、鎮静作用または弛緩作用、浄化、脂肪調節または毛髪損失対抗作用、老化防止作用、または堅固化、再構築作用、フリーラジカル除去作用、酸化防止作用またはセルフタンニング作用を有する化合物を挙げることができる。したがって、本発明の組成物は、例えば、アルブチン、こうじ酸、ヒドロキノン、エラジン酸、ビタミンＣおよびその誘導体、ステイＣ、リン酸アスコルビルマグネシウム、およびその誘導体、アスコルビルグルコシド、フィチン酸、果実酸、ルシノールまたはレゾルシノール、アゼレイン酸、ジヒドロキシアセトン（ＤＨＡ）、リポ酸、ベジホワイト（登録商標）、ガトゥリン（登録商標）、シナライト（登録商標）、バイオホワイト（登録商標）、ファイトライト（登録商標）、ダーマライト（登録商標）、クラリスキン（登録商標）、メラズロウ（登録商標）、ダーマホワイト（登録商標）、エチオライン（登録商標）、メラレスト（登録商標）、ギガホワイト（登録商標）、アルバタイン（登録商標）、ルミスキン（登録商標）、ポリフェノールエキス、ブドウエキス、パインエキス、ワインエキス、オリーブエキス、茶のエキス、ココアエキス、アマゾン森林植物エキス、豆類エキス、花のエキス、果実エキス、ミントエキス、湖沼水エキス、Ｎ−アシルたんぱく質、例えばマトリキシル（登録商標）のようなＮ−アシルペプチド、Ｎ−アシルアミノ酸、Ｎ−アシルたんぱく質の部分加水分解物、アミノ酸、ペプチド、全たんぱく質加水分解物、部分的たんぱく質加水分解物、ポリオール（例えばグリセロール、ブチレングリコールなど）、牛乳誘導体、アクアキシル（登録商標）、尿素、ピロリドンカルボン酸またはこの酸の誘導体、グリシレチン酸またはその誘導体、α−ビサボロール、糖または糖誘導体、多糖またはその誘導体、例えば乳酸またはサリチル酸のようなヒドロキシ酸、ビタミン、例えばレチノール、レチノール誘導体のようなビタミン誘導体、ビタミンＥおよびその誘導体、鉱物、微量元素、岩石のエキス、酵素またはその誘導体、例えばコエンザイムＱ１０のようなコエンザイムまたはその誘導体、例えばファイトエイジ（登録商標）のようなホルモンまたは「ホルモン様」物質、例えばラファーマイン（登録商標）のような大豆エキス、例えばテンサイン（登録商標）またはグリアジン（登録商標）のような小麦エキス、植物エキス、タンニン富化植物エキス、イソフラボン富化エキスまたはテルペン富化エキス、淡水藻エキスまたは塩水藻エキス、珊瑚エキスを含む海水エキス一般、精油ワックス、細菌エキス、例えばジボビオ（登録商標）製品の範疇、および特にカルシウム、マグネシウム、銅、コバルト、亜鉛、マンガンなどの誘導体のようなミネラル、脂質一般、セラミドまたはリン脂質およびまたそれらの誘導体のような脂質、例えばカフェインまたはその誘導体のような痩身化作用を有する活性剤、例えば静脈賦活剤のような皮膚の毛細血管循環を改善する活性化剤、排水活性化剤、イチョウ、蔦、一般的なホースチャストナット、竹、ラスカス、センテラ、アシアティカ、ヒバマタ、ローズマリーまたはセージのような充血緩和活性剤、例えば、銅または亜鉛誘導体またはオクトピロックスまたはセンシバＳＣ５０のような脂ぎった皮膚に抗微生物作用または精製作用を有する活性剤、例えば、セピトニック（登録商標）Ｍ３またはフィシオジェニル（登録商標）のような賦活特性または刺激特性を有する活性剤、例えば、セピカップ（登録商標）ＭＰのようなパンテノールおよびその誘導体、老化防止活性剤、セピビノール（登録商標）、セピバイタル（登録商標）、マノリーバ（登録商標）およびファイトエージ（登録商標）のような活性剤と組み合わせられ得る。本発明の組成物はまた、より一般的には、光による老化を無くすための老化防止活性剤、真皮表皮結合の一体性を保護する標的活性剤、細胞間質の成分（例えば、コラーゲン、エラスチン、グリコサミノグリカンなど）の合成を増加させる活性剤、化学的（サイトカイン）または物理的（インテグリン）細胞連絡に対して好ましく作用する活性剤、再構築効果を有する活性剤、傷害治癒効果を有する活性剤、堅固化効果を有する活性剤、「ボトックス様」効果を有する活性剤、誇張されたしわに作用する活性剤、カルシウムチャンネルに作用する活性剤、皮膚障壁の一体性を向上させる活性剤、特定の皮膚の酵素に作用する活性剤、特定の細胞レセプターに作用する活性剤、細胞の連絡を改善する活性剤、フリーラジカル除去作用または抗酸化剤作用を有する活性剤、「張り」効果を有する活性剤、およびふけ防止、にきび防止、鎮静または神経媒介妨害効果を有する活性剤とも組み合わせられ得る。本発明によるポリマーを含む組成物は、また、皮膚毛管循環活性化剤（例えばニコチネート）のような皮膚に加熱効果を与える活性剤かまたは逆に適用の際に爽快感を産み出す成分（例えばメントール）と組み合わせられ得る。
【００６２】
本発明の組成物に含めることのできる日焼け止め剤には、改正された化粧品指示書７６／７６８／ＥＥＣ付録ＶＩＩに掲載されているもののいずれかを挙げることができる。
【００６３】
この好ましい側面によれば、日焼け止めは特に、例えば、オクトクリレン、エトクリレン、例えばユーソレックス（登録商標）ＨＭＳのようなホモザレート、例えば、パーソル（登録商標）ＭＣＸのようなオクチルパラメトキシシンナメート、オクチノキセート、オクチザレート、アボベンゾン、オキシベンゾン、ベンゾフェノン−１、ベンゾフェノン−２、例えばウビヌルＭ−４０のようなベンゾフェノン−３、ベンゾフェノン−８、ベンゾフェノン−１２、エチルジヒドロキシプロピルＰＡＢＡ、グリセリルＰＡＢＡ、エチルヘキシルジメチルＰＡＢＡ、メンチルアントラニレート、メチルベンジリデンカンフル、またはイソプロピルジベンゾイルメタンのような親油性日焼け止めから選択される。
【００６４】
上記日焼け止めはまた、例えば二酸化チタン、酸化亜鉛、フェニルベンズイミダゾールスルホン酸、ベンゾフェノン−４、サリチル酸ＴＥＡ、ＰＡＢＡおよびＤＥＡメトキシシンナメートのような１以上の親水性日焼け止めをも含み得る。
【００６５】
上記日焼け止めはまた、例えば、スフェロン（登録商標）Ｌ−１５００のような球状シリカ、多孔性シリカまたは発熱性シリカであるかにかかわらずシリカ、例えばマイクロパール（登録商標）製品のような架橋または非架橋ポリメチルメタクリレート、デキストリン、シクロデキストリン、たとえばゼオライトのような分子ふるい、ナイロン６または１２、ナトリウムカルシウムアミノシリケート、タルクまたは雲母のような１以上の油吸収剤を含む。
【００６６】
上記日焼け止めはまた、１０個〜２２個の炭素原子を含むイソアルキルアルコールとネオペンタン酸の１以上のエステルも含み得る。この場合には、好ましくはイソデシルペンタノエート、イソステアリルネオペンタノエートまたはイソアラキジルネオペンタノエートが含まれる。
【００６７】
本発明の特定の側面によれば、化粧料組成物、皮膚薬学的組成物または薬学的組成物は有効量のジヒドロキシアセトン、特に１重量％〜８重量％のジヒドロキシアセトンの組成物を含む。
【００６８】
本発明の特定の側面によれば、化粧料組成物、皮膚薬学的組成物または薬学的組成物は、ジヒドロキシアセトンと乳酸、サリチル酸、グルコン酸、またはこうじ酸のような少なくとも１種のヒドロキシ酸か、ジヒドロキシアセトンと少なくとも１種の日焼け止め剤か、ジヒドロキシアセトンと少なくとも１種の保湿剤か、ジヒドロキシアセトンとカフェインのような少なくとも１種の痩身化剤かのいずれかを含む。
【実施例】
【００６９】
以下の例は、発明を限定することなく本発明を例示することを意図するものである。それらは、新規な逆相ラテックスが皮膚を刺激せず、その物理的特性が感受性の高い皮膚を治療するために意図される化粧料組成物、皮膚薬学的組成物または薬学的組成物の調製に用いられることを可能とすることを示す。
【００７０】
Ａ）−本発明による組成物の製造例
例１：イソヘキサデカン中、メチレンビス（アクリルアミド）により架橋された（ＡＭＰＳ  Ｎａ塩）／ＤＭＡコポリマー（９０／１０）の逆相ラテックス（組成物１）
ａ）以下のものを攪拌とともに反応器の中に入れる：
−  １７．０ｇの脱イオン水、
−  ６６２．１ｇの、５５％の２−メチル−２−［（１−オキソ−２−プロペニル）アミノ］−１−プロパンスルホン酸ナトリウム（ＡＭＰＳ  Ｎａ塩）を含む市販溶液、
−  １７．５ｇのＮ，Ｎ−ジメチルアクリルアミド（ＤＭＡ）、
−  ０．４５ｇのジエチレントリアミンペンタ酢酸ナトリウム
−  ０．０６８ｇのメチレンビス（アクリルアミド）。
【００７１】
この水溶液のｐＨは５．５に等しい。
【００７２】
ｂ）有機相を、
−  ２３５ｇのイソヘキサデカン、
−  ２０ｇのソルビタンイソステアレート（モンテーン（登録商標）７０）、
−  ５ｇのハイパーマー（登録商標）２２９６、
−  ０．０５８ｇのアゾビス（イソブチロニトリル）
を互いに混合することにより調製する。
【００７３】
ｃ）水相を有機相に少しずつ導入し、その混合物を、例えば、シルバーソン（登録商標）またはＩＫＡ（登録商標）攪拌装置を用いて強く攪拌する。ついで、得られたエマルジョンを重合反応器に移し、窒素を散布し、次いで、約５〜６℃に冷却する。次いで、イソヘキサデカン中に０．６３５％のクメンヒドロペルオキシドを含む溶液２５０ｍｌを加え、続いて、溶液を均質化した後、約６０分間で０．２ｍｌ／分の速度でメタ重亜硫酸ナトリウム（水中０．２重量％）の水溶液を加え、その間に温度を重合の終わりに室温に上昇させる。次いで、反応媒体をこの温度で約９０分間維持する。次いで、５％のポリソルベート６０（モンタノックス（登録商標）６０）を加えて、所望の逆相ラテックスを得る。
【００７４】
特性の評価
脱イオン水中２質量％の逆相ラテックスの粘度
（ブルックフィールドＲＶＴスピンドル６、速度５）：η＝３３４００ｍＰａ・ｓ
脱イオン水＋０．１％ＮａＣｌ中の３質量％の逆相ラテックスの粘度
（ブルックフィールドＲＶＴスピンドル６、速度５）：η＝１７２００ｍＰａ・ｓ。
【００７５】
例２：イソヘキサデカン中、メチレンビス（アクリルアミド）により架橋された（ＡＭＰＳ  Ｎａ塩）／ＤＭＡコポリマー（９０／１０）の逆相ラテックス（組成物２）
例１の実験条件を再現するが、しかし上記例の０．０６８ｇの代わりに０．１０９ｇのメチレンビスアクリルアミドを用いる。予測された逆相ラテックスが得られる。
【００７６】
特性の評価
脱イオン水中３質量％の逆相ラテックスの粘度
（ブルックフィールドＲＶＴスピンドル６、速度５）：η＝７７４００ｍＰａ・ｓ
脱イオン水＋０．１％ＮａＣｌ中３質量％の逆相ラテックスの粘度
（ブルックフィールドＲＶＴスピンドル６、速度５）：η＝１１７８０ｍＰａ・ｓ。
【００７７】
例３：イソヘキサデカン中、メチレンビス（アクリルアミド）により架橋された（ＡＭＰＳ  Ｎａ塩）／ＤＭＡコポリマー（８０／２０）の逆相ラテックス（組成物３）
例１の実験条件を再現するが、しかし、所望の（ＡＭＰＳ  Ｎａ塩）／ＤＭＡモル比（８０／２０）を得るために５５％の２−メチル−２−［（１−オキソ−２−プロペニル）アミノ］−１−プロパンスルホン酸ナトリウム（ＡＭＰＳ  Ｎａ塩）を含む市販溶液６２２．９ｇとＮ，Ｎ−ジメチルアクリルアミド（ＤＭＡ）３７ｇを用い、およびまた０．０７２ｇのメチレンビスアクリルアミドを用いる。予測された逆相ラテックスが得られる。
【００７８】
特性の評価
脱イオン水中３質量％の逆相ラテックスの粘度
（ブルックフィールドＲＶＴスピンドル６、速度５）：η＝５４８００ｍＰａ・ｓ。
【００７９】
脱イオン水＋０．１％ＮａＣｌ中３質量％の逆相ラテックスの粘度
（ブルックフィールドＲＶＴスピンドル６、速度５）：η＝１７２００ｍＰａ・ｓ。
【００８０】
例４：イソヘキサデカン中、メチレンビス（アクリルアミド）により架橋された（ＡＭＰＳ  Ｎａ塩）／ＤＭＡコポリマー（５０／５０）の逆相ラテックス（組成物４）
例１の実験条件を再現するるが、しかし、所望の（ＡＭＰＳ  Ｎａ塩）／ＤＭＡモル比（５０／５０）を得るために５５％の２−メチル−２−［（１−オキソ−２−プロペニル）アミノ］−１−プロパンスルホン酸ナトリウム（ＡＭＰＳ  Ｎａ塩）を含む市販溶液４７１．６ｇとＮ，Ｎ−ジメチルアクリルアミド（ＤＭＡ）１１２ｇを用い、およびまた０．０８７ｇのメチレンビスアクリルアミドを用いる。予測された逆相ラテックスが得られる。
【００８１】
特性の評価
脱イオン水中３質量％の逆相ラテックスの粘度
（ブルックフィールドＲＶＴスピンドル６、速度５）：η＝１０６０００ｍＰａ・ｓ。
【００８２】
脱イオン水＋０．１ＮａＣｌ中３質量％の逆相ラテックスの粘度
（ブルックフィールドＲＶＴスピンドル６、速度５）：η＝２３２００ｍＰａ・ｓ。
【００８３】
例５：イソヘキサデカン中、メチレンビス（アクリルアミド）により架橋された（ＡＭＰＳ  Ｎａ塩）／ＤＭＡコポリマー（４０／６０）の逆相ラテックス（組成物５）
例１の実験条件を再現するが、しかし、所望の（ＡＭＰＳ  Ｎａ塩）／ＤＭＡモル比（４０／６０）を得るために５５％の２−メチル−２−［（１−オキソ−２−プロペニル）アミノ］−１−プロパンスルホン酸ナトリウム（ＡＭＰＳ  Ｎａ塩）を含む市販溶液３８８．６ｇおよびＮ，Ｎ−ジメチルアクリルアミド（ＤＭＡ）１３８．６ｇを用い、およびまた０．０８９ｇのメチレンビスアクリルアミドを用いる。予測される逆相ラテックスが得られる。
【００８４】
特性の評価
脱イオン水中３質量％の逆相ラテックスの粘度
（ブルックフィールドＲＶＴスピンドル６、速度５）：η＝８９４００ｍＰａ・ｓ。
【００８５】
脱イオン水＋０．１％ＮａＣｌ中３質量％の逆相ラテックスの粘度
（ブルックフィールドＲＶＴスピンドル６、速度５）：η＝１７８２０ｍＰａ・ｓ。
【００８６】
Ｂ）−本発明による逆相ラテックスおよび先行技術による逆相ラテックスの特性間の比較
例５の本発明による逆相ラテックス（組成物５）の性能特性を、先行技術のメチレンビス（アクリルアミド）により架橋された（ＡＭＰＳ  Ｎａ塩）／アクリルアミドコポリマー（４０／６０）の逆相ラテックス（組成物ａ）の特性と比較した。
【００８７】
ａ）逆相ラテックスのそれぞれの濃度の関数としての粘度曲線の確立
試料は、逆相ラテックスのそれぞれに必要量の水を少しずつ加えることにより、測定されるそれぞれの濃度で調製する。
【００８８】
それらの粘度は、室温で７日間放置した後、測定した（ブルックフィールドＲＶＴ粘度計スピンドル６、速度５）。以下の表に示された結果が得られた。
【表１】
2006328398.tif 000002
【００８９】
それらの測定結果は、２種類の逆相ラテックスについての濃度の関数としての粘度の点で同様の挙動を示す。
【００９０】
ｂ）逆相ラテックスのそれぞれの油脂安定化力
実験の目的は、例５の本発明による逆相ラテックス（組成物５）の水性ゲルに含まれ得る油脂の最大量を測定することである。
【００９１】
室温で１０００００ｍＰａ・ｓの粘度を有する逆相ラテックスのそれぞれの水性ゲルを調製する。クリームゲルの試料は、オイル（プリモール（登録商標）３５２またはトリグリセリド５５４５）を加えることにより調製する。観察結果は、以下の表および図１および２に与えられている。
【表２】
2006328398.tif 000003
【表３】
2006328398.tif 000004
【表４】
2006328398.tif 000005
【表５】
2006328398.tif 000006
【表６】
2006328398.tif 000007
【００９２】
結果は、組成物５が、６５％までのトリグリ５５４５（カプリリック／カプリックトリグリセリド）および６０％までのプリモール（登録商標）３５２を乳化させることを可能とすることを立証している。先行技術のメチレンビス（アクリルアミド）により架橋された（ＡＭＰＳ  Ｎａ塩）／アクリルアミドコポリマー（４０／６０）の逆相ラテックスから調製されたエマルジョン（組成物ａ）に対して実施された同じ測定は、乳化される最大量はトリグリ５５４５について４５％であることを明らかにしている（以下の表と図３を参照されたい）。
【表７】
2006328398.tif 000008
【００９３】
先行技術の、メチレンビス（アクリルアミド）により架橋された（ＡＭＰＳ  Ｎａ塩）／アクリルアミドコポリマー（４０／６０）の逆相ラテックスから調製されたエマルジョン（組成物ａ）に対し実施された同じ測定は、乳化される最大量はプリモール（登録商標）３５２について４０％であることを明らかにしている。
【００９４】
そのことから、この利点はポリマーおいてアクリルアミドモノマーをＮ，Ｎ−ジメチルアクリルアミドモノマーで置き換えることから得られることが結論付けられる。
【００９５】
Ｃ）本発明による組成物を用いて調製された組成物の例
例６：ケアクリーム
シクロメチコーン：                １０％
例１の逆相ラテックス：            ０．８％
モンタノフ（登録商標）６８：      ２％
ステアリルアルコール：            １％
ステアリルアルコール：            ０．５％
保存料：                          ０．６５％
リシン：                          ０．０２５％
ＥＤＴＡ（二ナトリウム塩）：        ０．０５％
キサンタンガム：                  ０．２％
グリセロール：                    ３％
水：                              １００％となる量。
【００９６】
例７：アフターシェーブバーム
組成
Ａ  例３の逆相ラテックス：        １．５％
水：                          １００％となる量
Ｂ  マイクロパール（登録商標）Ｍ１００：５．０％
セピサイド（登録商標）ＣＩ：  ０．５０％
香料：                        ０．２０％
９５°エタノール：            １０．０％
手順
ＢをＡに加える。
【００９７】
例８：サテンボディエマルジョン
組成
Ａ  サイマルゾル（登録商標）１６５：５．０％
ラノール（登録商標）：          ８．５０％
シアバター：                    ２％
液体パラフィン：                ６．５％
ラノール（登録商標）１４Ｍ：    ３％
ラノール（登録商標）Ｓ：        ０．６％
Ｂ  水：                            ６６．２％
Ｃ  マイクロパール（登録商標）Ｍ１００：５％
Ｄ  例５の逆相ラテックス：          ３％
Ｅ  セピサイド（登録商標）ＣＩ：    ０．３％
セピサイド（登録商標）ＨＢ：    ０．５％
アクアキシル（登録商標）：        ３％
香料：                          ０．２０％
ビタミンＥアセテート：          ０．２０％
ピロリジノンカルボン酸ナトリウム：１％
手順
ＢにＣを加え、７０℃でＡ中にＢを乳化させ、次いで、６０℃でＤを加え、続いて３０℃でＥを加える。
【００９８】
例９：Ｏ／Ｗクリーム
組成
Ａ  サイマルゾル（登録商標）１６５：  ５．０％
ラノール（登録商標）１６８８：    ２０．０％
ラノール（登録商標）Ｐ：          １．０％
Ｂ  水：                              １００％となる量
Ｃ  例２の逆相ラテックス：            ２．５０％
Ｄ  セピサイド（登録商標）ＣＩ：      ０．２０％
セピサイド（登録商標）ＨＢ：      ０．３０％
手順
約７５℃でＡにＢを導入し、約６０℃でＣを加え、次いで、約４５℃でＤを加える。
【００９９】
例１０：グリース性でないアンチサン（antisun）ゲル
組成
Ａ  例４の逆相ラテックス：              ３．００％
水：                                ３０％
Ｂ  セピサイド（登録商標）ＣＩ：        ０．２０％
セピサイド（登録商標）ＨＢ：        ０．３０％
香料：                              ０．１０％
Ｃ  染料：                              適量
水：                                ３０％
Ｄ  マイクロパール（登録商標）Ｍ１００：３．００％
水：                                １００％となる量
Ｅ  シリコーンオイル：                  ２．０％
パーソル（登録商標）ＭＣＸ：        ５．００％
手順
ＡにＢを導入し、Ｃ、次いでＤ、次いでＥを加える。
【０１００】
例１１：アンチサン乳液
組成
Ａ  モンタノフ（登録商標）Ｓ：        ３．０％
ごま油：                          ５．０％
パーソル（登録商標）ＭＣＸ：      ５．０％
カラギーナンλ：                  ０．１０％
Ｂ  水：                              １００％となる量
Ｃ  例１の逆相ラテックス：            ０．８０％
Ｄ  香料：                            適量
保存料：                          適量
手順
７５℃でＡ中にＢを乳化させ、次いで、約６０℃でＣを加え、続いて約３０℃でＤを加え、必要であればｐＨを調節する。
【０１０１】
例１２：マッサージゲル
組成
Ａ  例３の逆相ラテックス：            ３．５％
水：                              ２０．０％
Ｂ  染料：                            １００ｇあたり２滴
水：                              適量
Ｃ  アルコール：                      １０％
メントール：                      ０．１０％
Ｄ  シリコーンオイル：                ５．０％
手順
ＡにＢを加え、次いで、混合物にＣを加え、続いてＤを加える。
【０１０２】
例１３：保湿およびつや消しファンデーション
組成
Ａ  水：                              ２０．０％
ブチレングリコール：              ４．０％
ＰＥＧ−４００：                  ４．０％
ペコシル（登録商標）ＰＳ１００：  １．０％
ＮａＯＨ：                        ｐＨ＝９とする量
二酸化チタン：                    ７．０％
タルク：                          ２．０％
黄色酸化鉄：                      ０．８％
赤色酸化鉄：                      ０．３％
黒色酸化鉄：                      ０．０５％
Ｂ  ラノール（登録商標）９９：        ８％
カプリリック／カプリックトリグリセリド：８％
モンタノフ（登録商標）２０２：    ５．００％
Ｃ  水：                              １００％となる量
マイクロパール（登録商標）Ｍ３０５：２．０％
ＥＤＴＡ四ナトリウム：            ０．０５％
Ｄ  シクロメチコーン：                ４．０％
キサンタンガム：                  ０．２％
例５の逆相ラテックス：            ０．８％
Ｅ  セピサイド（登録商標）ＨＢ：      ０．５％
セピサイド（登録商標）ＣＩ：      ０．３％
香料：                            ０．２％
手順
８０℃で混合物Ｂ＋ＤおよびＡ＋Ｃを調製し、次いで、互いに混合し、全体を乳化させる。
【０１０３】
例１４：ラジアンス（radiance）ゲル
組成
Ａ  例５の逆相ラテックス：            ４％
水：                              ３０％
Ｂ  エラスチンＨＰＭ：                ５．０％
Ｃ  マイクロパール（登録商標）Ｍ１００：３％
水：                              ５％
Ｄ  セピサイド（登録商標）ＣＩ：      ０．２％
セピサイド（登録商標）ＨＢ：      ０．３％
香料：                            ０．０６％
ピロリジノンカルボン酸ナトリウム５０％：１％
水：                              １００％となる量
手順
Ａを調製し、Ｂ、次いでＣ、次いでＤを加える。
【０１０４】
例１５：身体用乳液
組成
モンタノフ（登録商標）Ｓ：            ３．５％
ラノール（登録商標）３７Ｔ：          ８．０％
ソラガム（登録商標）Ｌ：              ０．０５％
水：                                  １００％となる量
ベンゾフェノン−３：                  ２．０％
ジメチコーン３５０ｃＰｓ：            ０．０５％
例４の逆相ラテックス：                ０．８％
保存料：                              ０．２％
香料：                                ０．４％。
【０１０５】
例１６：スイートアーモンドオイルを有する化粧除去用エマルジョン
組成
モンタノフ（登録商標）６８：          ５％
スイートアーモンドオイル：            ５％
水：                                  １００％となる量
例３の逆相ラテックス：                ０．３％
グリセロール：                        ５％
保存料：                              ０．２％
香料：                                ０．３％。
【０１０６】
例１７：脂ぎった皮膚のための保湿クリーム
組成
モンタノフ（登録商標）６８：          ５％
セチルステアリルオクタノエート：      ８％
オクチルパルミテート：                ２％
水：                                  １００％となる量
例２の逆相ラテックス：                ０．６％
マイクロパール（登録商標）Ｍ１００：  ３．０％
ムコ多糖：                            ５％
セピサイド（登録商標）ＨＢ：          ０．８％
香料：                                ０．３％。
【０１０７】
例１８：アルコールを含有しない鎮静用（soothing）アフターシェーブバーム
組成
Ａ  リパサイド（登録商標）ＰＶＢ：    １．０％
ラノール（登録商標）９９：        ２．０％
スイートアーモンドオイル：        ０．５％
Ｂ  例１の逆相ラテックス：            ３．５％
Ｃ  水：                              １００％となる量
Ｄ  香料：                            ０．４％
セピサイド（登録商標）ＨＢ：      ０．４％
セピサイド（登録商標）ＣＩ：      ０．２％。
【０１０８】
例１９：敏感な皮膚のためのＡＨＡを有するクリーム
組成
ラウリルアミノ酸の混合物：            ０．１％〜５％
アスパラギン酸マグネシウムカリウム：  ０．００２％〜０．５％
ラノール（登録商標）９９：            ２％
モンタノフ（登録商標）６８：          ５．０％
水：                                  １００％となる量
例４の逆相ラテックス：                １．５０％
グルコン酸：                          １．５０％
トリエチルアミン：                    ０．９％
セピサイド（登録商標）ＨＢ：          ０．３％
セピサイド（登録商標）ＣＩ：          ０．２％
香料：                                ０．４％。
【０１０９】
例２０：アフターサン鎮静化ケア剤
組成
ラウリルアミノ酸の混合物：            ０．１％〜５％
アスパラギン酸マグネシウムカリウム：  ０．００２％〜０．５％
ラノール（登録商標）９９：            １０．０％
水：                                  １００％となる量
例２の逆相ラテックス：                ２．５０％
セピサイド（登録商標）ＨＢ：          ０．３％
セピサイド（登録商標）ＣＩ：          ０．２％
香料：                                ０．４％
染料：                                ０．０３％。
【０１１０】
例２１：化粧除去用乳液
組成
セピパール（登録商標）Ｎ：            ３％
プリモール（登録商標）３５２：        ８．０％
スイートアーモンドオイル：            ２％
水：                                  １００％となる量
例５の逆相ラテックス：                ０．８％
保存料：                              ０．２％。
【０１１１】
例２２：アルカリｐＨの流動性エマルジョン
マルコール（登録商標）８２：          ５．０％
ＮａＯＨ：                            １０．０％
水：                                  １００％となる量
例１の逆相ラテックス：                １．５％。
【０１１２】
例２３：流動性ファンデーション
組成
サイマルゾル（登録商標）１６５：      ５．０％
ラノール（登録商標）８４Ｄ：          ８．０％
ラノール（登録商標）９９：            ５．０％
水：                                  １００％となる量
鉱物フィラーおよび顔料：              １０．０％
例５の逆相ラテックス：                １．２％
保存料：                              ０．２％
香料：                                ０．４％。
【０１１３】
例２４：アンチサン乳液
組成
セピパール（登録商標）Ｎ：            ３．５％
ラノール（登録商標）３７Ｔ：          １０．０％
パーソル（登録商標）ＭＣＸ：          ５．０％
ユーソレックス（登録商標）４３６０：  ２．０％
水：                                  １００％となる量
例１の逆相ラテックス：                １．８％
保存料：                              ０．２％
香料：                                ０．４％。
【０１１４】
例２５：隈取ゲル
組成
例２の逆相ラテックス：                ２．０％
香料：                                ０．０６％
ピロリジノンカルボン酸ナトリウム：    ０．２％
ダウコーニング（登録商標）２４５流体：２．０％
水：                                  １００％となる量。
【０１１５】
例２６：リーブインケア（leave-in care）組成物
組成
例３の逆相ラテックス：                １．５％
香料：                                適量
保存料：                              適量
ダウコーニング（登録商標）Ｘ２  ８３６０：５．０％
ダウコーニング（登録商標）Ｑ２  １４０１：１５．０％
水：                                  １００％となる量。
【０１１６】
例２７：スライムゲル
例４の逆相ラテックス：                ５％
エタノール：                          ３０％
メントール：                          ０．１％
カフェイン：                          ２．５％
ラスカスエキス：                      ２％
ツタエキス：                          ２％
セピサイド（登録商標）ＨＢ：          １％
水：                                  １００％となる量。
【０１１７】
例２８：超天然着色（ultra-natural tinted）クリームゲル
組成
Ａ  水：                              １０．０％
ブチレングリコール：              ４．０％
ＰＥＧ−４００：                  ４．０％
ペコシル（登録商標）ＰＳ１００：  １．５％
ＮａＯＨ：                        ｐＨ＝７まで十分量
二酸化チタン：                    ２．０％
黄色酸化鉄：                      ０．８％
赤色酸化鉄：                      ０．３％
黒色酸化鉄：                      ０．０５％
Ｂ  ラノール（登録商標）９９：        ４．０％
カプリリック／カプリックトリグリセリド：４．０％
セピフィール（登録商標）ワン：    １．０％
例５の逆相ラテックス：            ３．０％
Ｃ  水：                              １００％となる量
マイクロパール（登録商標）Ｍ３０５：２．０％
ＥＤＴＡ四ナトリウム：            ０．０５％
シクロメチコーン：                ４．０％
Ｄ  セピサイド（登録商標）ＨＢ：      ０．５％
セピサイド（登録商標）ＣＩ：      ０．３％
香料：                            ０．２％
手順
混合物Ｂ＋Ｃを調製し、次いで、Ａ、次いでＤを加える。
【０１１８】
例２９：脂ぎった皮膚のための治療薬
組成
Ａ  マイクロパール（登録商標）Ｍ３１０：１．０％
例５の逆相ラテックス：            ５．０％
オクチルイソノナノエート：        ４．０％
Ｂ  水：                              １００％となる量
Ｃ  セピコントロール（登録商標）Ａ５：４．０％
香料：                            ０．１％
セピサイド（登録商標）ＨＢ：      ０．３％
セピサイド（登録商標）ＣＴ：      ０．２％
Ｄ  カピゲル（登録商標）９８：        ０．５％
水：                              １０％。
【０１１９】
例３０：ＡＨＡを有するクリーム
組成
Ａ  モンタノフ（登録商標）６８：      ５．０％
リパサイド（登録商標）ＰＶＢ：    １．０５％
ラノール（登録商標）９９：        １０．０％
Ｂ  水：                              １００％となる量
グルコン酸：                      １．５％
ＴＥＡ（トリエタノールアミン）：    ０．９％
Ｃ  例４の逆相ラテックス：            １．５％
Ｄ  香料：                            ０．４％
セピサイド（登録商標）ＨＢ：      ０．２％
セピサイド（登録商標）ＣＩ：      ０．４％。
【０１２０】
例３１：顔面と身体のためのグリース性でないセルフタンニング製品
組成
Ａ  ラノール（登録商標）２６８１：    ３．０％
例３の逆相ラテックス：            ２．５％
Ｂ  水：                              １００％となる量
ジヒドロキシアセトン：            ３．０％
Ｃ  香料：                            ０．２％
セピサイド（登録商標）ＨＢ：      ０．８％
ＮａＯＨ（水酸化ナトリウム）：      ｐＨ＝５となる量。
【０１２１】
例３２：モノイ・ド・タヒチを有するアンチサン乳液
組成
Ａ  モノイ・ド・タヒチ：              １０％
リパサイド（登録商標）ＰＶＢ：    ０．５％
例２の逆相ラテックス：            ２．２％
Ｂ  水：                              １００％となる量
Ｃ  香料：                            ０．１％
セピサイド（登録商標）ＨＢ：      ０．３％
セピサイド（登録商標）ＣＩ：      ０．１％
パーソル（登録商標）ＭＣＸ：      ４．０％。
【０１２２】
例３３：顔面のためのアンチサンケア製品
組成
Ａ  シクロメチコーンおよびジメチコノール：４．０％
例５の逆相ラテックス：            ３．５％
Ｂ  水：                              １００％となる量
Ｃ  香料：                            ０．１％
セピサイド（登録商標）ＨＢ：      ０．３％
セピサイド（登録商標）ＣＩ：      ０．２１％
パーソル（登録商標）ＭＣＸ：      ５．０％
チタン雲母：                      ２．０％
乳酸：                            ｐＨ＝５となる量。
【０１２３】
例３４：セルフタンニングエマルジョン
組成
Ａ  ラノール（登録商標）９９：        １５％
モンタノフ（登録商標）６８：      ５．０％
パーソル（登録商標）ＭＣＸ：      ３．０％
Ｂ  水：                              １００％となる量
ジヒドロキシアセトン：            ５．０％
リン酸一ナトリウム：              ０．２％
Ｃ  例１の逆相ラテックス：            ０．５％
Ｄ  香料：                            ０．３％
セピサイド（登録商標）ＨＢ：      ０．８％
ＮａＯＨ：                        ｐＨ＝５となる量。
【０１２４】
例３５：ケアクリーム
シクロメチコーン：                    １０％
例２の逆相ラテックス：                ０．８％
モンタノフ（登録商標）６８：          ４．５％
保存料：                              ０．６５％
リシン：                              ０．０２５％
ＥＤＴＡ（二ナトリウム塩）：            ０．０５％
キサンタンガム：                      ０．２％
グリセロール：                        ３％
水：                                  １００％となる量。
【０１２５】
例３６：ケアクリーム
シクロメチコーン：                    １０％
例３の逆相ラテックス：                ０．８％
モンタノフ（登録商標）６８：          ４．５％
ペルフルオロポリメチルイソプロピルエーテル：０．５％
保存料：                              ０．６５％
リシン：                              ０．０２５％
ＥＤＴＡ（二ナトリウム塩）：            ０．０５％
ペムレン（登録商標）ＴＲ１：          ０．２％
グリセロール：                        ３％
水：                                  １００％となる量。
【０１２６】
例３７：身体用乳液
組成
Ａ  サイマルゾル（登録商標）１６５：  ５．０％
ラノール（登録商標）１６８８：    １２．０％
ラノール（登録商標）１４Ｍ：      ２．０％
セチルアルコール：                ０．３％
シャースモール（登録商標）ＯＰ：  ３％
Ｂ  水：                              １００％となる量
Ｃ  例４の逆相ラテックス：            ０．３５％
Ｄ  セピサイド（登録商標）ＣＩ：      ０．２％
セピサイド（登録商標）ＨＢ：      ０．５％
香料：                            ０．２０％
手順
約７５℃でＡ中にＢを乳化させる。約６０℃でＣを加え、続いて約３０℃でＤを加える。
【０１２７】
例３８：マッサージケアゲル
組成
Ａ  例５の逆相ラテックス：            ３．００％
水：                              ３０％
Ｂ  セピサイド（登録商標）ＣＩ：      ０．２０％
セピサイド（登録商標）ＨＢ：      ０．３０％
香料：                            ０．０５％
Ｃ  染料：                            適量
水：                              １００％となる量
Ｄ  マイクロパール（登録商標）ＳＱＬ：５．０％
ラノール（登録商標）１６８８：    ２％
手順
Ａを調製し、Ｂ、次いで、Ｃ、次いで、Ｄを加える。
【０１２８】
例３９：身体用乳液
組成
Ａ  セピパール（登録商標）Ｎ：        ３．０％
グリセリルトリヘプトネート：      １０．０％
Ｂ  水：                              １００％となる量
Ｃ  例４の逆相ラテックス：            １．０％
Ｄ  香料：                            適量
保存料：                          適量
手順
約７５℃でＡを溶融させる。７５℃でＡの中にＢを乳化し、次いで、約６０℃でＣを加え、続いてＤを加える。
【０１２９】
例４０：アルコールを含まない鎮静化アフターシェーブバーム
組成
ラウリルアミノ酸の混合物：            ０．１％〜５％
アスパラギン酸マグネシウムカリウム：  ０．００２％〜０．５％
ラノール（登録商標）９９：            ２％
スイートアーモンドオイル：            ０．５％
水：                                  １００％となる量
例３の逆相ラテックス：                ３％
セピサイド（登録商標）ＨＢ：          ０．３％
セピサイド（登録商標）ＣＩ：          ０．２％
香料：                                ０．４％。
【０１３０】
例４１：身体用乳液
組成
セピパール（登録商標）Ｎ：            ３．５％
ラノール（登録商標）３７Ｔ：          ８．０％
ソラガム（登録商標）Ｌ：              ０．０５％
水：                                  １００％となる量
ベンゾフェノン−３：                  ２．０％
ジメチコーン３５０ｃＰｓ：            ０．０５％
例２の逆相ラテックス：                ０．８％
保存料：                              ０．２％
香料：                                ０．４％。
【０１３１】
例４２：アルコールを含まない鎮静化アフターシェーブバーム
組成
Ａ  リパサイド（登録商標）ＰＶＢ：    １．０％
ラノール（登録商標）９９：        ２．０％
スイートアーモンドオイル：        ０．５％
Ｂ  例１の逆相ラテックス：            ３．５％
Ｃ  水：                              １００％となる量
Ｄ  香料：                            ０．４％
セピサイド（登録商標）ＨＢ：      ０．４％
セピサイド（登録商標）ＣＩ：      ０．２％。
【０１３２】
例４３：爽快感を与えるアフターシェーブゲル
組成
Ａ  リパサイド（登録商標）ＰＶＢ：    ０．５％
ラノール（登録商標）９９：        ５．０％
例２の逆相ラテックス：            ２．５％
Ｂ  水：                              １００％となる量
Ｃ  マイクロパール（登録商標）ＬＭ：  ０．５％
香料：                            ０．２％
セピサイド（登録商標）ＨＢ：      ０．３％
セピサイド（登録商標）ＣＩ：      ０．２％。
【０１３３】
例４４：ＡＨＡを有するクリーム
組成
Ａ  モンタノフ（登録商標）６８：      ５．０％
リパサイド（登録商標）ＰＶＢ：    １．０５％
ラノール（登録商標）９９：        １０．０％
Ｂ  水：                              １００％となる量
グルコン酸：                      １．５％
ＴＥＡ（トリエタノールアミン）：    ０．９％
Ｃ  例３の逆相ラテックス：            １．５％
Ｄ  香料：                            ０．４％
セピサイド（登録商標）ＨＢ：      ０．２％
セピサイド（登録商標）ＣＩ：      ０．４％。
【０１３４】
例４５：光沢ゲル
例４の逆相ラテックス：                １．５％
揮発性シリコーン：                    ２５％
モノプロピレングリコール：            ２５％
軟水：                                １０％
グリセロール：                        １００％となる量。
【０１３５】
例４６：痩身化ゲル
例５の逆相ラテックス：                １．５％
イソノニルイソノナノエート：          ２％
カフェイン：                          ５％
エタノール：                          ４０％
マイクロパール（登録商標）ＬＭ：      ２％
軟水：                                １００％となる量
保存料、香料：                        適量。
【０１３６】
例４７：化粧除去用乳液
サイマルゾル（登録商標）１６５：      ４％
モンタノフ（登録商標）２０２：        １％
カプリレート／カプレートトリグリセリド：１５％
ペコシル（登録商標）ＤＣＴ：          １％
軟水：                                適量
キャピゲル（登録商標）９８：          ０．５％
例４の逆相ラテックス：                １％
プロテオール（登録商標）ＡＰＬ：      ２％
水酸化ナトリウム：                    ｐＨ＝７まで十分量。
【０１３７】
例４８：ストレスを受け、脆化した毛髪のための再構築用「すすぎ」クリームマスク
組成
ケトロール（登録商標）Ｔ：            ０．５％
ペコシル（登録商標）ＳＰＰ５０：      ０．７５％
Ｎ−ココイルアミノ酸：                ０．７０％
ブチレングリコール：                  ３．０％
例１の逆相ラテックス：                ３．０％
モンタノフ（登録商標）８２：          ３．０％
ジョジョバ油：                        １．０％
ラノール（登録商標）Ｐ：              ６．０％
アモニル（登録商標）ＤＭ：            １．０％
ラノール（登録商標）９９：            ５．０％
セピサイド（登録商標）ＨＢ：          ０．３％
セピサイド（登録商標）ＣＩ：          ０．２％
香料：                                ０．２％
水：                                  １００％となる量。
【０１３８】
例４９：日焼け止めクリーム
サイマルゾル（登録商標）１６５：      ３％
モンタノフ（登録商標）２０２：        ２％
Ｃ12〜Ｃ15ベンゾエート：              ８％
ペコシル（登録商標）ＰＳ１００：      ２％
ジメチコーン：                        ２％
シクロメチコーン：                    ５％
オクチルパラ−メトキシシンナメート：  ６％
ベンゾフェノン−３：                  ４％
酸化チタン：                          ８％
キサンタンガム：                      ０．２％
ブチレングリコール：                  ５％
軟水：                                １００％となる量
例５の逆相ラテックス：                １．５％
保存料、香料：                        適量。
【０１３９】
例５０：混合肌（combination skin）のためのケアゲル
例３の逆相ラテックス：                ４％
植物スクアラン：                      ５％
ジメチコーン：                        １．５％
セピコントロール（登録商標）Ａ５：    ４％
キサンタンガム：                      ０．３％
水：                                  １００％となる量
保存料、香料：                        適量。
【０１４０】
例５１：ヘアローション
組成
ブチレングリコール：                  ３．０％
例４の逆相ラテックス：                ３％
サイマルゾル（登録商標）１２９３：    ３．０％
乳酸：                                ｐＨ＝６となる量
セピサイド（登録商標）ＨＢ：          ０．２％
セピサイド（登録商標）ＣＩ：          ０．３％
香料：                                ０．３％
水：                                  １００％となる量。
【０１４１】
例５２：保護用および弛緩用シャンプー
組成
アモニル（登録商標）６７５ＳＢ：      ５．０％
２８％ラウリルエーテル硫酸ナトリウム：３５．０％
例３の逆相ラテックス：                ３．０％
セピサイド（登録商標）ＨＢ：          ０．５％
セピサイド（登録商標）ＣＩ：          ０．３％
水酸化ナトリウム：                    ｐＨ＝７．２となる量
香料：                                ０．３％
染料（ＦＤＣブルー１／イエロー５）：    適量
水：                                  １００％となる量。
【０１４２】
例５３：「リーブオン（leave-on）」保護用製品、ストレス回避ヘアケア
組成
ケトロール（登録商標）Ｔ：            ０．５％
ココイルアミノ酸の混合物：            ３．０％
ブチレングリコール：                  ５．０％
ＤＣ１５０１：                        ５．０％
例１の組成物：                        ４．０％
セピサイド（登録商標）ＨＢ：          ０．５％
セピサイド（登録商標）ＣＩ：          ０．３％
香料：                                ０．３％
水：                                  １００％となる量。
【０１４３】
例５４：ビタミンを有するクリーム
サイマルゾル（登録商標）１６５：      ５％
モンタノフ（登録商標）２０２：        １％
カプリリック／カプリックトリグリセリド：２０％
ビタミンＡパルミテート：              ０．２％
ビタミンＥアセテート：                １％
マイクロパール（登録商標）Ｍ３０５：  １．５％
例２の逆相ラテックス：                ２％
水：                                  １００％となる量
保存料、香料：                        適量。
【０１４４】
例５５：アンチサンゲル
組成
例５の逆相ラテックス：                ３．００％
セピサイド（登録商標）ＣＩ：          ０．２０％
セピサイド（登録商標）ＨＢ：          ０．３０％
香料：                                ０．１０％
染料：                                適量
シリカ：                              ３．００％
水：                                  １００％となる量
シリコーンオイル：                    ２．０％
ベンゾフェノン−３：                  ５．００％。
【０１４５】
例５６：リップグロス
組成
例５の逆相ラテックス：                １．５０％
シャーセモール（登録商標）ＴＩＳＣ：  １５．００％
ビスタノール（登録商標）ＮＰＧＣ：    １５．００％
カンジュリン・パプリカ：              ０．５０％
モンタノックス（登録商標）８０：      １．００％
アンタロン（登録商標）Ｖ２１６：      ０．９０％
アプリコット香料：                    ０．２０％
セピサイド（登録商標）ＨＢ：          ０．５０％
Ｃ  マルチデックス（登録商標）Ｈ１６３２２：１００％となる量。
【０１４６】
例５７：日光の強い気候のための固形パウダー
組成
例３の逆相ラテックス：                ２．００％
ラノール（登録商標）９９：            １２．００％
セピホワイト（登録商標）ＭＳＨ：      １．００％
タルク：                              ３３．００％
マイクロパール（登録商標）Ｍ３１０：  ３．００％
黄色酸化鉄：                          ０．８０％
赤色酸化鉄：                          ０．３０％
黒色酸化鉄：                          ０．０５％
雲母：                                １００％となる量。
【０１４７】
例５８：アトピー性の皮膚のためのエマルジョン
組成
アーラセル（登録商標）Ｐ１３５：      ２．００％
例１の逆相ラテックス：                １．００％
ラノール（登録商標）１６８８：        １４．００％
プリモール（登録商標）３５２：        ８．００％
グリセロール：                        ５．００％
水：                                  １００％となる量
硫酸マグネシウム：                    ０．７０％
セピサイド（登録商標）ＨＢ：          ０．３０％
セピサイド（登録商標）ＣＩ：          ０．２０％
マイクロパール（登録商標）Ｍ３１０：  ５．００％。
【０１４８】
例５９：鎮静化アンチサンケア（シリコーン中水）
組成
例４の逆相ラテックス：                ２．００％
ＤＣ５２２５Ｃ：                      ２０．００％
ＤＣ３４５：                          １０．００％
セピコーム（登録商標）ＶＧ：          ３．００％
二酸化チタンＭＴ１００Ｔ：            ５．００％
酸化亜鉛Ｚ−コートＨＰ１：            ５．００％
セピサイド（登録商標）ＨＢ：          ０．３０％
香料：                                ０．０５％
セピサイド（登録商標）ＣＩ：          ０．２０％
グリセロール：                        ５．００％
塩化ナトリウム：                      ２．００％
水：                                  １００％となる量。
【０１４９】
例６０：多相ケア剤
組成
例５の逆相ラテックス：                ３．００％
Ｃ１２−１５アルキルベンゾエート：    ２５．００％
アクアキシル（登録商標）：              ３．００％
セピトニック（登録商標）Ｍ３：        １．００％
セピサイド（登録商標）ＨＢ：          ０．５０％
セピサイド（登録商標）ＣＩ：          ０．３０％
水：                                  １００％となる量。
【０１５０】
例６１：セルフタンニングゲル
例４の逆相ラテックス：                ５％
エタノール：                          ３０％
ジヒドロキシアセトン：                ５％
メントール：                          ０．１％
カフェイン：                          ２．５％
ツタエキス：                          ２％
セピサイド（登録商標）ＨＢ：          １％
水：                                  １００％となる量。
【０１５１】
例６２：セルフタンニング乳液
組成
Ａ  セピパール（登録商標）Ｎ：        ３．０％
グリセリルトリヘプタノエート：    １０．０％
リパサイド（登録商標）ＰＶＢ：    ０．５％
例２の逆相ラテックス：            ２．２％
Ｂ  水：                              １００％となる量
ジヒドロキシアセトン：            ５．０％
Ｃ  香料：                            ０．１％
セピサイド（登録商標）ＨＢ：      ０．３％
セピサイド（登録商標）ＣＩ：      ０．１％
パーソル（登録商標）ＭＣＸ：      ４．０％。
【０１５２】
例６３：ＡＨＡを有するセルフタンニングクリーム
組成
Ａ  モンタノフ（登録商標）６８：      ５．０％
リパサイド（登録商標）ＰＶＢ：    １．０５％
ラノール（登録商標）９９：        １０．０％
Ｂ  水：                              １００％となる量
グルコン酸：                      １．５％
ジヒドロキシアセトン：            ３．０％
ＴＥＡ（トリエタノールアミン）：    ０．９％
Ｃ  例３の逆相ラテックス：            １．５％
Ｄ  香料：                            ０．４％
セピサイド（登録商標）ＨＢ：      ０．２％
セピサイド（登録商標）ＣＩ：      ０．４％。
【０１５３】
例６４：感受性の強い皮膚のためのＡＨＡを有するセルフタンニングクリーム
組成
ラウリルアミノ酸の混合物：            ０．１％〜５％
アスパラギン酸マグネシウムカリウム：  ０．００２〜０．５％
ラノール（登録商標）９９：            ２％
モンタノフ（登録商標）６８：          ５．０％
水：                                  １００％となる量
例４の逆相ラテックス：                １．５０％
乳酸：                                １．５０％
ジヒドロキシアセトン：                ３．５％
トリエチルアミン：                    ０．９％
セピサイド（登録商標）ＨＢ：          ０．３％
セピサイド（登録商標）ＣＩ：          ０．２％
香料：                                ０．４％。
【０１５４】
例６５：サテンセルフタンニング保湿エマルジョン
組成
Ａ  サイマルゾル（登録商標）１６５：  ５．０％
ラノール（登録商標）１６８８：    ８．５０％
シアバター：                      ２％
液体パラフィン：                  ６．５％
ラノール（登録商標）１４Ｍ：      ３％
ラノール（登録商標）Ｓ：          ０．６％
Ｂ  水：                              ６６．２％
ジヒドロキシアセトン：            ３％
Ｃ  マイクロパール（登録商標）Ｍ１００：５％
Ｄ  例５の逆相ラテックス：            ３％
Ｅ  セピサイド（登録商標）ＣＩ：      ０．３％
セピサイド（登録商標）ＨＢ：      ０．５％
アクアキシル（登録商標）：          ５％
香料：                            ０．２０％
ビタミンＥアセテート：            ０．２０％
ピロリジノンカルボン酸ナトリウム：１％。
【０１５５】
例において用いられている市販製品の定義は以下のとおりである。
【０１５６】
サイマルゾル（登録商標）１２９３は、ＳＥＰＰＩＣ社により販売される４０に等しいエトキシル化指数を有する水素化されたエトキシル化されたひまし油である。
【０１５７】
カピゲル（登録商標）９８は、ＳＥＰＰＩＣ社により販売されるアクリレートコポリマーに基づく液体増粘剤である。
【０１５８】
ケトロール（登録商標）Ｔは、ケルコ社により販売されるキサンタンガムである。
【０１５９】
ラノール（登録商標）９９は、ＳＥＰＰＩＣ社により販売されるイソノニルイソノナノエートである。
【０１６０】
ＤＣ１５０１は、ダウケミカル社により販売されるシクロペンタシロキサンとジメチコノールの混合物である。
【０１６１】
モンタノフ（登録商標）８２は、セテアリルアルコールとココイルグルコシドに基づく乳化剤である。
【０１６２】
モンタノフ（登録商標）６８（セテアリルグルコシド）は、ＳＥＰＰＩＣ社により販売されるＷＯ９２／０６７７８に記載される自己乳化組成物である。
【０１６３】
マイクロパール（登録商標）Ｍ１００は、マツモ社により販売されるきわめて柔軟な感触とつや消し作用を有する超微細粉末である。
【０１６４】
セピサイド（登録商標）ＣＩ、イミダゾリジン尿素、は、ＳＥＰＰＩＣ社により販売される保存料である。
【０１６５】
ペムレン（登録商標）ＴＲ１は、グッドリッチにより販売されるアクリルポリマーである。
【０１６６】
サイマルゾル（登録商標）１６５は、ＳＥＰＰＩＣ社により販売される自己乳化グリセリルステアレートである。
【０１６７】
ラノール（登録商標）１６８８は、ＳＥＰＰＩＣ社により販売されるグリース効果のないエモリエントエステルである。
【０１６８】
ラノール（登録商標）１４Ｍおよびラノール（登録商標）Ｓは、ＳＥＰＰＩＣ社により販売されるコンシステンシー因子である。
【０１６９】
フェノキシエタノール、メチルパラベン、エチルパラベン、プロピルパラベンおよびブチルパラベンの混合物であるセピサイド（登録商標）ＨＢは、ＳＥＰＰＩＣ社により販売される保存料である。
【０１７０】
アクアキシル（登録商標）は、ＳＥＰＰＩＣ社により販売される保湿剤である。
【０１７１】
シャーセモール（登録商標）ＯＰは、グリース性効果のないエモリエントエステルである。
【０１７２】
ラノール（登録商標）Ｐは、ＳＥＰＰＩＣ社により販売される安定化作用を有する添加剤である。
【０１７３】
パーソル（登録商標）ＭＣＸは、ジボーダン社により販売されるオクチルパラメトキシシンナメートである。
【０１７４】
セピパール（登録商標）Ｎは、ＷＯ９５／１３８６３において記載されるもののようなアルキルポリグルコシドの混合物に基づくＳＥＰＰＩＣ社により販売される真珠状光沢剤である。
【０１７５】
マイクロパール（登録商標）ＳＱＬは、マッサージの作用により放出されるスクアランを含む微小粒子の混合物である。マツモ社により販売されている。
【０１７６】
ラノール（登録商標）９９は、ＳＥＰＰＩＣ社により販売されるイソノニルイソノナノエートである。
【０１７７】
ラノール（登録商標）３７Ｔは、ＳＥＰＰＩＣ社により販売されるグリセリルトリヘプタノエートである。
【０１７８】
ソラガム（登録商標）Ｌは、ＳＥＰＰＩＣ社により販売されるカラギーナンである。
【０１７９】
マルコール（登録商標）８２は、エクソン社により販売される液体パラフィンである。
【０１８０】
ラノール（登録商標）８４Ｄは、ＳＥＰＰＩＣ社により販売されるマレイン酸ジオクチルである。
【０１８１】
パーソル  ＮＯＸ（登録商標）は、ジボーダン社により販売される日焼け止め剤である。
【０１８２】
ユーソレックス（登録商標）４３６０は、メルク社により販売される日焼け止め剤である。
【０１８３】
ダウコーニング（登録商標）２４５流体は、ダウコーニング社により販売されるシクロメチコーンである。
【０１８４】
リパサイド（登録商標）ＰＶＢは、ＳＥＰＰＩＣ社により販売されるアシル化小麦たんぱく質加水分解物である。
【０１８５】
マイクロパール（登録商標）ＬＭは、ＳＥＰＰＩＣ社により販売されるスクアラン、ポリメチルメタクリレートおよびメントールの混合物である。
【０１８６】
セピコントロール（登録商標）Ａ５は、１９９８年６月２３日に出願された国際特許出願ＰＣＴ／ＦＲ９８／０１３１３において記載されているもののようなＳＥＰＰＩＣ社により販売されるカプリロイルグリシン、サルコシンおよびシナモン・ジラニクムのエキスの混合物である。
【０１８７】
ラノール（登録商標）２６８１は、ＳＥＰＰＩＣ社により販売されるココナッツカプリレート／カプレート混合物である。
【０１８８】
モンタノフ（登録商標）２０２は、ＳＥＰＰＩＣ社により販売されるＷＯ９８／４７６１０に記載されるＡＰＧ／脂肪アルコール組成物である。
【０１８９】
プロテオール（登録商標）ＡＰＬは、ＳＥＰＰＩＣ社により販売される発泡性界面活性剤である。
【０１９０】
シャースモール（登録商標）ＴＩＳＣは、シャー社により販売されるエステル（クエン酸トリイソステアリル）である。
【０１９１】
ビスタノール（登録商標）ＮＰＧＣは、セワカセイ社により販売されるエステル（ネオペンチルグリコールジカプレート）である。
【０１９２】
アンタロン（登録商標）Ｖ２１６は、ユニバー社により頒布される合成ポリマー（ＰＶＰ／ヘキサデセンコポリマー）である。
【０１９３】
Ｃ  マルチデックス（登録商標）Ｈ１６３２２は、セレスター社により販売されるポリオール（マルチトールシロップ）である。
【０１９４】
セピホワイト（登録商標）ＭＳＨは、ＳＥＰＰＩＣ社により販売される脱色活性化剤（ウンデシレノイルフェニルアラニン）である。
【０１９５】
ＤＣ３４５は、ダウコーニング社により販売されるシクロメチコーンである。
【０１９６】
ＤＣ５２２５Ｃは、ダウコーニング社により販売されるシクロペンタシロキサンとジメチコーンコポリオールの混合物である。
【０１９７】
セピコーム（登録商標）ＶＧは、ＳＥＰＰＩＣ社により販売される鎮静化活性剤（パルミトイルプロリンナトリウム）である。
【０１９８】
ＭＴ１００ＶＴは、ユニペックス社により頒布される表面処理（水酸化アルミニウム／ステアリン酸）を受けた微小化二酸化チタンである。
【０１９９】
Ｚ−コートＨＰ１は、ガッテフォッセにより頒布される表面処理を受けた微小化酸化亜鉛である。
【０２００】
カンジュリン・パプリカは、カリウムアルミニウムシリケートと酸化鉄の混合物である。
【図面の簡単な説明】
【０２０１】
【図１】クリームゲルの外観を示す顕微鏡写真である。
【図２】クリームゲルの外観を示す顕微鏡写真である。
【図３】クリームゲルの外観を示す顕微鏡写真である。
【図１】
2006328398.tif 000009
【図２】
2006328398.tif 000010
【図３】
2006328398.tif 000011
【外国語明細書】
2006328398000001.pdf